(57)【要約】  本発明はデータ生成方法、論理チャネルの設定方法、端末装置及びチップを提供し、該端末装置がｍ個の論理チャネル及び複数のキャリアを有し、該ｍ個の論理チャネルのそれぞれに優先度が設定され、該複数のキャリアのそれぞれに該ｍ個の論理チャネルのうちの少なくとも１つの論理チャネルの優先度が関連付けられ、ｍ＞０であり、該方法は、ｎ個の論理チャネルでＲＬＣデータを受信することであって、該ｎ個の論理チャネルは、該ｍ個の論理チャネルに属し、ｍ≧ｎ＞０であることと、該ｎ個の論理チャネルの優先度及び該複数のキャリアのうちの第１キャリアに関連付けられる優先度にしたがって、該ｎ個の論理チャネルからｋ個の論理チャネルを決定することであって、ｎ≧ｋ＞０であることと、ＭＡＣプロトコルデータユニット（ＰＤＵ）を生成することであって、該ＭＡＣ  ＰＤＵは、該ｋ個の論理チャネルにおけるＲＬＣ  ＰＤＵを含むこととを含む。ＭＡＣ  ＰＤＵパケット化の過程において、端末装置が該ＭＡＣ  ＰＤＵを伝送するためのキャリアを決定することができるようにする。
2020535733.tif 000002
【特許請求の範囲】
【請求項１】
データ生成方法であって、
端末装置に適用され、前記端末装置は、ｍ個の論理チャネル及び複数のキャリアを有し、前記ｍ個の論理チャネルのそれぞれに優先度が設定され、前記複数のキャリアのそれぞれに前記ｍ個の論理チャネルのうちの少なくとも１つの論理チャネルの優先度が関連付けられ、ｍ＞０であり、
前記方法は、
ｎ個の論理チャネルで無線リンク層制御（ＲＬＣ）プロトコルデータを受信することであって、前記ｎ個の論理チャネルは、前記ｍ個の論理チャネルに属し、ｍ≧ｎ＞０であることと、
前記ｎ個の論理チャネルの優先度及び前記複数のキャリアのうちの第１キャリアに関連付けられる優先度にしたがって、前記ｎ個の論理チャネルからｋ個の論理チャネルを決定することであって、ｎ≧ｋ＞０であることと、
媒体アクセス制御（ＭＡＣ）プロトコルデータユニット（ＰＤＵ）を生成することであって、前記ＭＡＣ  ＰＤＵは、前記ｋ個の論理チャネルにおけるＲＬＣ  ＰＤＵを含むことと、を含むことを特徴とする、前記データ生成方法。
【請求項２】
前記ｎ個の論理チャネルの優先度及び前記複数のキャリアのうちの第１キャリアに関連付けられる優先度にしたがって、前記ｎ個の論理チャネルからｋ個の論理チャネルを決定することは、
前記ｎ個の論理チャネルから前記ｋ個の論理チャネルを決定することであって、前記ｋ個の論理チャネルのそれぞれの優先度は、前記第１キャリアに関連付けられる優先度に属することを含むことを特徴とする
請求項１に記載のデータ生成方法。
【請求項３】
前記複数のキャリアのうちの第２キャリアに関連付けられる優先度が前記ｍ個の論理チャネルのうちの第１論理チャネルの優先度を含む場合、前記第２キャリアに関連付けられる優先度は、前記ｍ個の論理チャネルのうちの前記第１論理チャネルの優先度より低い論理チャネルの優先度を更に含むことを特徴とする
請求項２に記載のデータ生成方法。
【請求項４】
前記ｎ個の論理チャネルの優先度及び前記複数のキャリアのうちの第１キャリアに関連付けられる優先度にしたがって、前記ｎ個の論理チャネルからｋ個の論理チャネルを決定することは、
前記ｎ個の論理チャネルから第２論理チャネルを決定することであって、前記第２論理チャネルの優先度は、前記第１キャリアに関連付けられる優先度に属することと、
前記第２論理チャネルの優先度にしたがって、前記ｋ個の論理チャネルを決定することと、を含むことを特徴とする
請求項１に記載のデータ生成方法。
【請求項５】
前記第２論理チャネルの優先度にしたがって、前記ｋ個の論理チャネルを決定することは、
前記ｎ個の論理チャネルで、前記第２論理チャネルの優先度より低い論理チャネルを前記ｋ個の論理チャネルとして決定することを含むことを特徴とする
請求項４に記載のデータ生成方法。
【請求項６】
前記第２論理チャネルの優先度にしたがって、前記ｋ個の論理チャネルを決定することは、
前記ｎ個の論理チャネルで、前記第２論理チャネルの優先度より高い論理チャネルを前記ｋ個の論理チャネルとして決定することを含むことを特徴とする
請求項４に記載のデータ生成方法。
【請求項７】
前記複数のキャリアのそれぞれに関連付けられる優先度は、重複がないことを特徴とする
請求項４〜６のいずれか１項に記載の方法。
【請求項８】
前記ｎ個の論理チャネルの優先度及び前記複数のキャリアのうちの第１キャリアに関連付けられる優先度にしたがって、前記ｎ個の論理チャネルからｋ個の論理チャネルを決定することは、
前記ｎ個の論理チャネルから前記ｋ個の論理チャネルを決定することであって、前記ｋ個の論理チャネルのそれぞれの優先度が前記第１キャリアに関連付けられる優先度より低いことを含むことを特徴とする
請求項１に記載のデータ生成方法。
【請求項９】
前記ｎ個の論理チャネルの優先度及び前記複数のキャリアのうちの第１キャリアに関連付けられる優先度にしたがって、前記ｎ個の論理チャネルからｋ個の論理チャネルを決定することは、
前記ｎ個の論理チャネルから前記ｋ個の論理チャネルを決定することであって、前記ｋ個の論理チャネルのそれぞれの優先度が前記第１キャリアに関連付けられる優先度より高いことを含むことを特徴とする
請求項１に記載のデータ生成方法。
【請求項１０】
前記複数のキャリアのそれぞれに１つの優先度のみが関連付けられることを特徴とする
請求項８又は９に記載のデータ生成方法。
【請求項１１】
前記複数のキャリアのそれぞれに関連付けられる優先度がネットワーク装置により設定された優先度であることを特徴とする
請求項１〜１０のいずれか１項に記載のデータ生成方法。
【請求項１２】
前記複数のキャリアのそれぞれに関連付けられる優先度が予め設定された優先度であることを特徴とする
請求項１〜１０のいずれか１項に記載のデータ生成方法。
【請求項１３】
前記方法は、
第１キャリアのチャネルビジー率及び第１閾値にしたがって、キャリア再選択の実行を許容するかどうかを判断することを更に含むことを特徴とする
請求項１〜１２のいずれか１項に記載のデータ生成方法。
【請求項１４】
前記各論理チャネルの優先度がそれぞれ１つの閾値に関連付けられることを特徴とする
請求項１３に記載のデータ生成方法。
【請求項１５】
前記第１閾値は、前記ｋ個の論理チャネルの優先度の関連付けられる閾値のうちの最大値であることを特徴とする
請求項１３又は１４に記載のデータ生成方法。
【請求項１６】
前記第１閾値は、前記ｋ個の論理チャネルの優先度の関連付けられる閾値のうちの最小値であることを特徴とする
請求項１３又は１４に記載のデータ生成方法。
【請求項１７】
前記第１閾値は、前記第１キャリアに関連付けられる優先度の関連付けられる閾値のうちの最大値であることを特徴とする
請求項１３又は１４に記載のデータ生成方法。
【請求項１８】
前記第１閾値は、前記第１キャリアに関連付けられる優先度の関連付けられる閾値のうちの最小値であることを特徴とする
請求項１３又は１４に記載のデータ生成方法。
【請求項１９】
前記第１閾値は、
第１キャリアに関連付けられる優先度、及び第１キャリアに関連付けられる優先度より低い優先度の関連付けられる閾値のうちの最大値であることを特徴とする
請求項１３又は１４に記載のデータ生成方法。
【請求項２０】
前記第１閾値は、
第１キャリアに関連付けられる優先度、及び第１キャリアに関連付けられる優先度より低い優先度の関連付けられる閾値のうちの最小値であることを特徴とする
請求項１３又は１４に記載のデータ生成方法。
【請求項２１】
前記第１閾値は、
第１キャリアに関連付けられる優先度、及び第１キャリアに関連付けられる優先度より高い優先度の関連付けられる閾値のうちの最大値であることを特徴とする
請求項１３又は１４に記載のデータ生成方法。
【請求項２２】
前記第１閾値は、
第１キャリアに関連付けられる優先度、及び第１キャリアに関連付けられる優先度より高い優先度の関連付けられる閾値のうちの最小値であることを特徴とする
請求項１３又は１４に記載のデータ生成方法。
【請求項２３】
前記ｎ個の論理チャネルの優先度及び前記複数のキャリアのうちの第１キャリアに関連付けられる優先度にしたがって、前記ｎ個の論理チャネルからｋ個の論理チャネルを決定することは、
前記ｎ個の論理チャネルから第３論理チャネル及び第４論理チャネルを決定することであって、前記第３論理チャネル及び前記第４論理チャネルは、パケットデータ収束プロトコル（ＰＤＣＰ）データの複製を行うために使用されることと、
前記ｋ個の論理チャネルのうちの論理チャネルとして、前記第３論理チャネル及び前記第４論理チャネルから１つの論理チャネルのみを選択することとを含むことを特徴とする
請求項１〜２２のいずれか１項に記載のデータ生成方法。
【請求項２４】
前記ｋ個の論理チャネルのうちの論理チャネルとして、前記第３論理チャネル及び前記第４論理チャネルから１つの論理チャネルのみを選択することは、
第１条件を満足する場合、前記ｋ個の論理チャネルのうちの論理チャネルとして、前記第３論理チャネル及び前記第４論理チャネルから前記第３論理チャネルを選択することを含むことを特徴とする
請求項２３に記載のデータ生成方法。
【請求項２５】
前記第１条件は、
前記第４論理チャネルに、伝送するデータがないことを含むことを特徴とする
請求項２４に記載のデータ生成方法。
【請求項２６】
前記第１条件は、
前記第３論理チャネル及び第４論理チャネルの両方に、伝送するデータがあることを含むことを特徴とする
請求項２４に記載のデータ生成方法。
【請求項２７】
前記第１条件は、
前記第３論理チャネルが前記第１キャリアに関連付けられることを含むことを特徴とする
請求項２４に記載のデータ生成方法。
【請求項２８】
前記第３論理チャネルと前記第１キャリアとの関連付け関係は、端末装置によって決定され、又は前記第３論理チャネルと前記第１キャリアとの関連付け関係は、ネットワーク装置によって設定されることを特徴とする
請求項２７に記載のデータ生成方法。
【請求項２９】
前記第３論理チャネル及び前記第４論理チャネルは、端末装置によって決定され、又は前記第３論理チャネル及び前記第４論理チャネルは、ネットワーク装置によって設定されることを特徴とする、
請求項２３〜２８のいずれか１項に記載のデータ生成方法。
【請求項３０】
端末装置であって、
ｍ個の論理チャネル及び複数のキャリアを有し、前記ｍ個の論理チャネルのそれぞれに優先度が設定され、前記複数のキャリアのそれぞれに前記ｍ個の論理チャネルのうちの少なくとも１つの論理チャネルの優先度が関連付けられ、ｍ＞０であり、
前記端末装置は、
ｎ個の論理チャネルで無線リンク層制御（ＲＬＣ）プロトコルデータを受信するように構成される送受信ユニットであって、前記ｎ個の論理チャネルが前記ｍ個の論理チャネルに属し、ｍ≧ｎ＞０である送受信ユニットと、
前記ｎ個の論理チャネルの優先度及び前記複数のキャリアのうちの第１キャリアに関連付けられる優先度にしたがって、前記ｎ個の論理チャネルからｋ個の論理チャネルを決定するように構成され、ｎ≧ｋ＞０であり、
媒体アクセス制御（ＭＡＣ）プロトコルデータユニット（ＰＤＵ）を生成するように構成され、前記ＭＡＣ  ＰＤＵが前記ｋ個の論理チャネルにおけるＲＬＣ  ＰＤＵを含む処理ユニットと、を備えることを特徴とする、前記端末装置。
【請求項３１】
前記処理ユニットは、具体的に、
前記ｎ個の論理チャネルから前記ｋ個の論理チャネルを決定するように構成され、前記ｋ個の論理チャネルのそれぞれの優先度が前記第１キャリアに関連付けられる優先度に属することを特徴とする
請求項３０に記載の端末装置。
【請求項３２】
前記複数のキャリアのうちの第２キャリアに関連付けられる優先度が前記ｍ個の論理チャネルのうちの第１論理チャネルの優先度を含む場合、前記第２キャリアに関連付けられる優先度は、前記ｍ個の論理チャネルのうちの前記第１論理チャネルの優先度より低い論理チャネルの優先度を更に含むことを特徴とする
請求項３１に記載の端末装置。
【請求項３３】
前記処理ユニットは、具体的に、
前記ｎ個の論理チャネルから第２論理チャネルを決定し、前記第２論理チャネルの優先度が前記第１キャリアに関連付けられる優先度に属し、
前記第２論理チャネルの優先度にしたがって、前記ｋ個の論理チャネルを決定するように構成されることを特徴とする
請求項３０に記載の端末装置。
【請求項３４】
前記処理ユニットは、より具体的に、
前記ｎ個の論理チャネルで、前記第２論理チャネルの優先度より低い論理チャネルを前記ｋ個の論理チャネルとして決定するように構成されることを特徴とする
請求項３３に記載の端末装置。
【請求項３５】
前記処理ユニットは、より具体的に、
前記ｎ個の論理チャネルで、前記第２論理チャネルの優先度より高い論理チャネルを前記ｋ個の論理チャネルとして決定するように構成されることを特徴とする
請求項３３に記載の端末装置。
【請求項３６】
前記複数のキャリアのそれぞれに関連付けられる優先度は重複がないことを特徴とする
請求項３３〜３５のいずれか１項に記載の端末装置。
【請求項３７】
前記処理ユニットは、具体的に、
前記ｎ個の論理チャネルから前記ｋ個の論理チャネルを決定するように構成され、前記ｋ個の論理チャネルのそれぞれの優先度が前記第１キャリアに関連付けられる優先度より低いことを特徴とする
請求項３０に記載の端末装置。
【請求項３８】
前記処理ユニットは、具体的に、
前記ｎ個の論理チャネルから前記ｋ個の論理チャネルを決定するように構成され、前記ｋ個の論理チャネルのそれぞれの優先度が前記第１キャリアに関連付けられる優先度より高いことを特徴とする
請求項３０に記載の端末装置。
【請求項３９】
前記複数のキャリアのそれぞれに１つの優先度のみが関連付けられることを特徴とする
請求項３７又は３８に記載の端末装置。
【請求項４０】
前記複数のキャリアのそれぞれに関連付けられる優先度がネットワーク装置により設定された優先度であることを特徴とする
請求項３０〜３９のいずれか１項に記載の端末装置。
【請求項４１】
前記複数のキャリアのそれぞれに関連付けられる優先度が予め設定された優先度であることを特徴とする
請求項３０〜３９のいずれか１項に記載の端末装置。
【請求項４２】
前記処理ユニットは、更に、
第１キャリアのチャネルビジー率及び第１閾値にしたがって、キャリア再選択の実行を許容するかどうかを判断するように構成されることを特徴とする
請求項３０〜４１のいずれか１項に記載の端末装置。
【請求項４３】
前記各論理チャネルの優先度がそれぞれ１つの閾値に関連付けられることを特徴とする
請求項４２に記載の端末装置。
【請求項４４】
前記第１閾値は、前記ｋ個の論理チャネルの優先度の関連付けられる閾値のうちの最大値であることを特徴とする
請求項４２又は４３に記載の端末装置。
【請求項４５】
前記第１閾値は、前記ｋ個の論理チャネルの優先度の関連付けられる閾値のうちの最小値であることを特徴とする
請求項４２又は４３に記載の端末装置。
【請求項４６】
前記第１閾値は、前記第１キャリアに関連付けられる優先度の関連付けられる閾値のうちの最大値であることを特徴とする
請求項４２又は４３に記載の端末装置。
【請求項４７】
前記第１閾値は、前記第１キャリアに関連付けられる優先度の関連付けられる閾値のうちの最小値であることを特徴とする
請求項４２又は４３に記載の端末装置。
【請求項４８】
前記第１閾値は、
第１キャリアに関連付けられる優先度、及び第１キャリアに関連付けられる優先度より低い優先度の関連付けられる閾値のうちの最大値であることを特徴とする
請求項４２又は４３に記載の端末装置。
【請求項４９】
前記第１閾値は、
第１キャリアに関連付けられる優先度、及び第１キャリアに関連付けられる優先度より低い優先度の関連付けられる閾値のうちの最小値であることを特徴とする
請求項４２又は４３に記載の端末装置。
【請求項５０】
前記第１閾値は、
第１キャリアに関連付けられる優先度、及び第１キャリアに関連付けられる優先度より高い優先度の関連付けられる閾値のうちの最大値であることを特徴とする
請求項４２又は４３に記載の端末装置。
【請求項５１】
前記第１閾値は、
第１キャリアに関連付けられる優先度、及び第１キャリアに関連付けられる優先度より高い優先度の関連付けられる閾値のうちの最小値であることを特徴とする
請求項４２又は４３に記載の端末装置。
【請求項５２】
前記処理ユニットは、具体的に、
前記ｎ個の論理チャネルから第３論理チャネル及び第４論理チャネルを決定し、前記第３論理チャネル及び前記第４論理チャネルは、パケットデータ収束プロトコル（ＰＤＣＰ）データの複製を行うために使用され、
前記ｋ個の論理チャネルのうちの論理チャネルとして、前記第３論理チャネル及び前記第４論理チャネルから１つの論理チャネルのみを選択するように構成されることを特徴とする
請求項３０〜５１のいずれか１項に記載の端末装置。
【請求項５３】
前記処理ユニットは、具体的に、
第１条件を満足する場合、前記ｋ個の論理チャネルのうちの論理チャネルとして、前記第３論理チャネル及び前記第４論理チャネルから前記第３論理チャネルを選択するように構成されることを特徴とする
請求項５２に記載の端末装置。
【請求項５４】
前記第１条件は、
前記第４論理チャネルに、伝送するデータがないことを含むことを特徴とする
請求項５３に記載の端末装置。
【請求項５５】
前記第１条件は、
前記第３論理チャネル及び第４論理チャネルの両方に、伝送するデータがあることを含むことを特徴とする
請求項５３に記載の端末装置。
【請求項５６】
前記第１条件は、
前記第３論理チャネルが前記第１キャリアに関連付けられることを含むことを特徴とする
請求項５３に記載の端末装置。
【請求項５７】
前記第３論理チャネルと前記第１キャリアとの関連付け関係は、端末装置によって決定され、又は前記第３論理チャネルと前記第１キャリアとの関連付け関係は、ネットワーク装置によって設定されることを特徴とする
請求項５６に記載の端末装置。
【請求項５８】
前記第３論理チャネル及び前記第４論理チャネルは、端末装置によって決定され、又は前記第３論理チャネル及び前記第４論理チャネルは、ネットワーク装置によって設定されることを特徴とする
請求項３０〜５７のいずれか１項に記載の端末装置。
【請求項５９】
端末装置であって、
メモリ、プロセッサ、入力インターフェース及び出力インターフェースを備え、前記メモリ、前記プロセッサ、前記入力インターフェース及び前記出力インターフェースは、バスシステムによって接続され、前記メモリは、命令を記憶するために使用され、前記プロセッサは、該メモリに記憶される命令を実行し、請求項１〜２９のいずれか１項に記載の方法を実行するために使用されることを特徴とする、前記端末装置。
【請求項６０】
チップであって、
メモリから請求項１〜２９のいずれか１項に記載の方法を実行するための命令を含むコンピュータプログラムを呼び出して実行するために使用されるプロセッサを備えることを特徴とする、前記チップ。
【請求項６１】
記憶媒体であって、
請求項１〜２９のいずれか１項に記載の方法を実行するための命令を含むコンピュータプログラムを記憶するために使用されることを特徴とする、前記記憶媒体。
【請求項６２】
データ生成方法であって、
端末装置に適用され、前記端末装置に第３論理チャネル、第４論理チャネル及び少なくとも１つのキャリアが設定され、前記第３論理チャネル及び前記第４論理チャネルがパケットデータ収束プロトコル（ＰＤＣＰ）データの複製を行うために使用され、
前記方法は、
第１条件を満足する場合、前記少なくとも１つのキャリアのうちの第１キャリアに対して媒体アクセス制御（ＭＡＣ）プロトコルデータユニット（ＰＤＵ）を生成し、前記ＭＡＣ  ＰＤＵが前記第３論理チャネル及び前記第４論理チャネルのうちの前記第３論理チャネルのＲＬＣ  ＰＤＵを含むことを含むことを特徴とする、前記データ生成方法。
【請求項６３】
前記第１条件は、
前記第４論理チャネルに、伝送するデータがないことを含むことを特徴とする
請求項６２に記載の方法。
【請求項６４】
前記第１条件は、
前記第３論理チャネル及び前記第４論理チャネルの両方に、伝送するデータがあることを含むことを特徴とする
請求項６２に記載の方法。
【請求項６５】
前記第１条件は、
前記第３論理チャネルが前記第１キャリアに関連付けられることを含むことを特徴とする
請求項６２に記載の方法。
【請求項６６】
前記第３論理チャネルと前記第１キャリアとの関連付け関係は、端末装置によって決定され、又は前記第３論理チャネルと前記第１キャリアとの関連付け関係は、ネットワーク装置によって設定されることを特徴とする
請求項６５に記載の方法。
【請求項６７】
前記第３論理チャネル及び前記第４論理チャネルは、端末装置によって決定され、又は前記第３論理チャネル及び前記第４論理チャネルは、ネットワーク装置によって設定されることを特徴とする
請求項６２〜６６のいずれか１項に記載の方法。
【請求項６８】
端末装置であって、
第３論理チャネル、第４論理チャネル及び少なくとも１つのキャリアが設定され、前記第３論理チャネル及び前記第４論理チャネルがパケットデータ収束プロトコル（ＰＤＣＰ）データの複製を行うために使用され、
前記端末装置は、
第１条件を満足する場合、前記少なくとも１つのキャリアのうちの第１キャリアに対して媒体アクセス制御（ＭＡＣ）プロトコルデータユニット（ＰＤＵ）を生成するように構成される処理ユニットであって、前記ＭＡＣ  ＰＤＵが前記第３論理チャネル及び前記第４論理チャネルのうちの前記第３論理チャネルのＲＬＣ  ＰＤＵを含む処理ユニットを備えることを特徴とする、前記端末装置。
【請求項６９】
前記第１条件は、
前記第４論理チャネルに、伝送するデータがないことを含むことを特徴とする
請求項６８に記載の端末装置。
【請求項７０】
前記第１条件は、
前記第３論理チャネル及び前記第４論理チャネルの両方に、伝送するデータがあることを含むことを特徴とする
請求項６８に記載の端末装置。
【請求項７１】
前記第１条件は、
前記第３論理チャネルが前記第１キャリアに関連付けられることを含むことを特徴とする
請求項６８に記載の端末装置。
【請求項７２】
前記第３論理チャネルと前記第１キャリアとの関連付け関係は、端末装置によって決定され、又は前記第３論理チャネルと前記第１キャリアとの関連付け関係は、ネットワーク装置によって設定されることを特徴とする
請求項７１に記載の端末装置。
【請求項７３】
前記第３論理チャネル及び前記第４論理チャネルは、端末装置によって決定され、又は前記第３論理チャネル及び前記第４論理チャネルは、ネットワーク装置によって設定されることを特徴とする
請求項６８〜７２のいずれか１項に記載の端末装置。
【請求項７４】
端末装置であって、
メモリ、プロセッサ、入力インターフェース及び出力インターフェースを備え、前記メモリ、前記プロセッサ、前記入力インターフェース及び前記出力インターフェースは、バスシステムによって接続され、前記メモリは、命令を記憶するために使用され、前記プロセッサは、該メモリに記憶される命令を実行し、請求項６２〜６７のいずれか１項に記載の方法を実行するために使用されることを特徴とする、前記端末装置。
【請求項７５】
チップであって、
メモリから請求項６２〜６７のいずれか１項に記載の方法を実行するための命令を含むコンピュータプログラムを呼び出して実行するために使用されるプロセッサを備えることを特徴とする、前記チップ。
【請求項７６】
記憶媒体であって、
請求項６２〜６７のいずれか１項に記載の方法を実行するための命令を含むコンピュータプログラムを記憶するために使用されることを特徴とする、前記記憶媒体。
【請求項７７】
論理チャネルの設定方法であって、
端末装置に適用され、前記端末装置に少なくとも１つの論理チャネルが設定され、前記少なくとも１つの論理チャネルに第１論理チャネルが含まれ、第１論理チャネルが少なくとも１つの第１信頼性要求に関連付けられることを特徴とする、前記論理チャネルの設定方法。
【請求項７８】
前記方法は、
ネットワークにより設定された論理チャネルグループと少なくとも１つの第２信頼性要求との関連付け関係にしたがって、前記第１論理チャネルを前記論理チャネルグループに関連付けるかどうかを決定することを更に含むことを特徴とする
請求項７７に記載の論理チャネルの設定方法。
【請求項７９】
ネットワークにより設定された論理チャネルグループと少なくとも１つの第２信頼性要求との関連付け関係にしたがって、前記第１論理チャネルを前記論理チャネルグループに関連付けるかどうかを決定することは、
前記少なくとも１つの第２信頼性要求が前記少なくとも１つの第１信頼性要求のうちの少なくとも１つを含む場合、前記第１論理チャネルを前記論理チャネルグループに関連付けることを決定することを含むことを特徴とする
請求項７８に記載の論理チャネルの設定方法。
【請求項８０】
ネットワークにより設定された論理チャネルグループと少なくとも１つの第２信頼性要求との関連付け関係にしたがって、前記第１論理チャネルを前記論理チャネルグループに関連付けるかどうかを決定することは、
前記少なくとも１つの第２信頼性要求が前記少なくとも１つの第１信頼性要求を含まない場合、前記第１論理チャネルを前記論理チャネルグループに関連付けないことを決定することを含むことを特徴とする
請求項７９に記載の論理チャネルの設定方法。
【請求項８１】
前記方法は、
前記少なくとも１つの論理チャネルに関連付けられる信頼性要求にしたがって、データキャッシュレポートをトリガーすることを更に含むことを特徴とする
請求項７７〜８０のいずれか１項に記載の方法。
【請求項８２】
前記少なくとも１つの論理チャネルに関連付けられる信頼性要求にしたがって、データキャッシュレポートをトリガーすることは、
前記第１論理チャネルにデータが到着するとき、前記第１論理チャネルに関連付けられる信頼性要求が伝送するデータを有する他の論理チャネルより高い場合、データキャッシュレポートをトリガーすることを含むことを特徴とする
請求項８１に記載の論理チャネルの設定方法。
【請求項８３】
前記伝送するデータを有する他の論理チャネル及び前記第１論理チャネルが同じターゲットアドレスに対することを特徴とする
請求項８２に記載の論理チャネルの設定方法。
【請求項８４】
前記伝送するデータを有する他の論理チャネルは、論理チャネルグループに関連付けられることを特徴とする
請求項８２又は８３に記載の論理チャネルの設定方法。
【請求項８５】
前記第１論理チャネルが論理チャネルグループに関連付けられることを特徴とする
請求項８２〜８４のいずれか１項に記載の論理チャネルの設定方法。
【請求項８６】
前記第１論理チャネルに関連付けられる論理チャネルグループは、前記伝送するデータを有する他の論理チャネルに関連付けられる論理チャネルグループと異なることを特徴とする
請求項８２〜８５のいずれか１項に記載の論理チャネルの設定方法。
【請求項８７】
前記第１論理チャネルに関連付けられる論理チャネルグループに関連付けられる信頼性要求は、前記伝送するデータを有する他の論理チャネルに関連付けられる論理チャネルグループの信頼性要求より高いことを特徴とする
請求項８２〜８６のいずれか１項に記載の論理チャネルの設定方法。
【請求項８８】
端末装置であって、
少なくとも１つの論理チャネルが設定され、前記少なくとも１つの論理チャネルに第１論理チャネルが含まれ、第１論理チャネルは、少なくとも１つの第１信頼性要求に関連付けられることを特徴とする、前記端末装置。
【請求項８９】
前記端末装置は、
ネットワークにより設定された論理チャネルグループと少なくとも１つの第２信頼性要求との関連付け関係にしたがって、前記第１論理チャネルを前記論理チャネルグループに関連付けるかどうかを決定するように構成される処理ユニットを備えることを特徴とする
請求項８８に記載の端末装置。
【請求項９０】
前記処理ユニットは、具体的に、
前記少なくとも１つの第２信頼性要求が前記少なくとも１つの第１信頼性要求のうちの少なくとも１つを含む場合、前記第１論理チャネルを前記論理チャネルグループに関連付けることを決定するように構成されることを特徴とする
請求項８９に記載の端末装置。
【請求項９１】
前記処理ユニットは、具体的に、
前記少なくとも１つの第２信頼性要求が前記少なくとも１つの第１信頼性要求を含まない場合、前記第１論理チャネルを前記論理チャネルグループに関連付けないことを決定するように構成されることを特徴とする
請求項８９に記載の端末装置。
【請求項９２】
前記端末装置は、
前記少なくとも１つの論理チャネルに関連付けられる信頼性要求にしたがって、データキャッシュレポートをトリガーするように構成される送受信ユニットを更に備えることを特徴とする
請求項８８〜９１のいずれか１項に記載の端末装置。
【請求項９３】
前記送受信ユニットは、具体的に、
前記第１論理チャネルにデータが到着するとき、前記第１論理チャネルに関連付けられる信頼性要求が伝送するデータを有する他の論理チャネルより高い場合、データキャッシュレポートをトリガーするように構成されることを特徴とする
請求項９２に記載の端末装置。
【請求項９４】
前記伝送するデータを有する他の論理チャネル及び前記第１論理チャネルは、同じターゲットアドレスに対することを特徴とする
請求項９３に記載の端末装置。
【請求項９５】
前記伝送するデータを有する他の論理チャネルは、論理チャネルグループに関連付けられることを特徴とする
請求項９３又は９４に記載の端末装置。
【請求項９６】
前記第１論理チャネルは、論理チャネルグループに関連付けられることを特徴とする
請求項９３〜９５のいずれか１項に記載の端末装置。
【請求項９７】
前記第１論理チャネルに関連付けられる論理チャネルグループは、前記伝送するデータを有する他の論理チャネルに関連付けられる論理チャネルグループと異なることを特徴とする
請求項９３〜９６のいずれか１項に記載の端末装置。
【請求項９８】
前記第１論理チャネルに関連付けられる論理チャネルグループに関連付けられる信頼性要求は、前記伝送するデータを有する他の論理チャネルに関連付けられる論理チャネルグループの信頼性要求より高いことを特徴とする
請求項９３〜９７のいずれか１項に記載の端末装置。
【請求項９９】
端末装置であって、
メモリ、プロセッサ、入力インターフェース及び出力インターフェースを備え、前記メモリ、前記プロセッサ、前記入力インターフェース及び前記出力インターフェースは、バスシステムによって接続され、前記メモリは、命令を記憶するために使用され、前記プロセッサは、該メモリに記憶される命令を実行し、請求項７７〜８７のいずれか１項に記載の方法を実行するために使用されることを特徴とする、前記端末装置。
【請求項１００】
チップであって、
メモリから請求項７７〜８７のいずれか１項に記載の方法を実行するための命令を含むコンピュータプログラムを呼び出して実行するために使用されるプロセッサを備えることを特徴とする、前記チップ。
【請求項１０１】
記憶媒体であって、
請求項７７〜８７のいずれか１項に記載の方法を実行するための命令を含むコンピュータプログラムを記憶するために使用されることを特徴とする、前記記憶媒体。
【発明の詳細な説明】
【関連出願の相互参照】
【０００１】
本願は、２０１７年９月２７日に提出した中国特許出願ＰＣＴ／ＣＮ２０１７／１０３７６３、発明の名称「データ生成方法及び端末装置」のＰＣＴ特許出願の優先権、及び２０１８年４月４日に提出した中国特許出願ＰＣＴ／ＣＮ２０１８／０８２０４６、発明の名称「データ生成方法及び端末装置」のＰＣＴ特許出願の優先権を主張し、そのすべての内容が本願の一部として援用される。
【技術分野】
【０００２】
本発明の実施例は通信分野に関し、より具体的に、データ生成方法、論理チャネルの設定方法、端末装置及びチップに関する。
【背景技術】
【０００３】
車両インターネットシステムは、長期進化型の車両間（ＬＴＥ  Ｖ２Ｖ：Ｌｏｎｇ  Ｔｅｒｍ  Ｅｖｏｌｕａｔｉｏｎ  Ｖｅｈｉｃｌｅ  ｔｏ  Ｖｅｈｉｃｌｅ）に基づくサイドリンク（ＳＬ：Ｓｉｄｅｌｉｎｋ）伝送技術であり、通信データが基地局によって受信又は送信される従来のＬＴＥシステムの方式と異なって、車両インターネットシステムは、端末間の直接通信を用いるため、より高いスペクトル効率及びより低い伝送遅延を有する。
【０００４】
第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）Ｒｅｌ−１４において、車両インターネット技術におけるビークルツーエブリシング（Ｖ２Ｘ：Ｖｅｈｉｃｌｅ  ｔｏ  Ｅｖｅｒｙｔｈｉｎｇ）に対して標準化したが、モード３及びモード４の２つの伝送モードを定義した。具体的には、モード３において、図１に示すように、車載端末（車載端末１２１及び車載端末１２２）の伝送リソースは基地局１１０により割り当てられ、車載端末が基地局１１０により割り当てられたリソースに基づいてサイドリンクでデータ送信を行い、基地局１１０は端末に１回の伝送のためのリソースを割り当ててもよいし、端末に半静的伝送のためのリソースを割り当ててもよい。モード４において、図２に示すように、車載端末（車載端末１３１及び車載端末１３２）はセンシング（ｓｅｎｓｉｎｇ）および予約（ｒｅｓｅｒｖａｔｉｏｎ）の伝送方式を用いる。具体的には、端末は、サイドリンクリソースにおいて、伝送リソースを自主的に選択してデータを生成する。
【０００５】
ところが、モノのインターネット技術の進化（例えば、Ｒｅｌ．１５）に伴い、強化された車両インターネット（ｅＶ２Ｘ：Ｅｎｈａｎｃｅｍｅｎｔ  ｏｆ  Ｖｅｈｉｃｌｅ−ｔｏ−Ｅｖｅｒｙｔｈｉｎｇ）は、マルチキャリアシナリオに拡大し、つまり、１つの端末装置は、１つ以上のキャリアで同時に送受信することができる。
【０００６】
これにより、キャリア選択の実行方法が、早急に解決する必要がある問題である。
【発明の概要】
【発明が解決しようとする課題】
【０００７】
本発明は、ＭＡＣ  ＰＤＵパケット化の過程において端末装置が該ＭＡＣ  ＰＤＵを伝送するためのキャリアを決定することができるようにする、データ生成方法、論理チャネルの設定方法、端末装置及びチップを提供する。
【課題を解決するための手段】
【０００８】
第１態様において、データ生成方法を提供し、前記端末装置は、端末装置に適用され、ｍ個の論理チャネル及び複数のキャリアを有し、前記ｍ個の論理チャネルのそれぞれに優先度が設定され、前記複数のキャリアのそれぞれに前記ｍ個の論理チャネルのうちの少なくとも１つの論理チャネルの優先度が関連付けられ、ｍ＞０であり、
前記方法は、
ｎ個の論理チャネルで無線リンク層制御（ＲＬＣ）プロトコルデータを受信することであって、前記ｎ個の論理チャネルは、前記ｍ個の論理チャネルに属し、ｍ≧ｎ＞０であることと、前記ｎ個の論理チャネルの優先度及び前記複数のキャリアのうちの第１キャリアに関連付けられる優先度にしたがって、前記ｎ個の論理チャネルからｋ個の論理チャネルを決定することであって、ｎ≧ｋ＞０であることと、媒体アクセス制御（ＭＡＣ）プロトコルデータユニット（ＰＤＵ）を生成することであって、前記ＭＡＣ  ＰＤＵは、前記ｋ個の論理チャネルにおけるＲＬＣ  ＰＤＵを含むこととを含む。
【０００９】
本発明の実施例では、該端末装置がｎ個の論理チャネルにおけるＲＬＣデータを受信した場合、該ｎ個の論理チャネルの優先度及び端末装置が有する複数のキャリアのうちの第１キャリアに関連付けられる優先度にしたがって、ｎ個の論理チャネルからｋ個の論理チャネルを選択し、更に該第１キャリアにおいて伝送されるＭＡＣ  ＰＤＵを生成することができる。
【００１０】
いくつかの可能な実現方式では、前記ｎ個の論理チャネルの優先度及び前記複数のキャリアのうちの第１キャリアに関連付けられる優先度にしたがって、前記ｎ個の論理チャネルからｋ個の論理チャネルを決定することは、
前記ｎ個の論理チャネルから前記ｋ個の論理チャネルを決定することであって、前記ｋ個の論理チャネルのそれぞれの優先度は、前記第１キャリアに関連付けられる優先度に属することを含む。
【００１１】
いくつかの可能な実現方式では、前記複数のキャリアのうちの第２キャリアに関連付けられる優先度が前記ｍ個の論理チャネルのうちの第１論理チャネルの優先度を含む場合、前記第２キャリアに関連付けられる優先度は前記ｍ個の論理チャネルのうちの前記第１論理チャネルの優先度より低い論理チャネルの優先度を更に含む。
【００１２】
本発明の実施例では、先行技術におけるＭＡＣ  ＰＤＵのパケット化ルールを参照して、端末装置が有する複数のキャリアのそれぞれに関連付けられる優先度を設計する。このように、現在のＭＡＣ  ＰＤＵの生成過程が変化しないように維持することができ、更に本発明の実施例と先行技術との互換性を最大限に向上させることができる。
【００１３】
いくつかの可能な実現方式では、前記ｎ個の論理チャネルの優先度及び前記複数のキャリアのうちの第１キャリアに関連付けられる優先度にしたがって、前記ｎ個の論理チャネルからｋ個の論理チャネルを決定することは、
前記ｎ個の論理チャネルから第２論理チャネルを決定することであって、前記第２論理チャネルの優先度が前記第１キャリアに関連付けられる優先度に属することと、前記第２論理チャネルの優先度に基づいて前記ｋ個の論理チャネルを決定することとを含む。
【００１４】
いくつかの可能な実現方式では、前記第２論理チャネルの優先度に基づいて前記ｋ個の論理チャネルを決定することは、
前記ｎ個の論理チャネルのうちの前記第２論理チャネルの優先度より低い論理チャネルを前記ｋ個の論理チャネルとして決定することを含む。
【００１５】
いくつかの可能な実現方式では、前記第２論理チャネルの優先度にしたがって、前記ｋ個の論理チャネルを決定することは、
前記ｎ個の論理チャネルのうちの前記第２論理チャネルの優先度より高い論理チャネルを前記ｋ個の論理チャネルとして決定することを含む。
【００１６】
いくつかの可能な実現方式では、前記複数のキャリアのそれぞれに関連付けられる優先度は、重複がない。
【００１７】
いくつかの可能な実現方式では、前記ｎ個の論理チャネルの優先度及び前記複数のキャリアのうちの第１キャリアに関連付けられる優先度にしたがって、前記ｎ個の論理チャネルからｋ個の論理チャネルを決定することは、
前記ｎ個の論理チャネルから前記ｋ個の論理チャネルを決定することであって、前記ｋ個の論理チャネルのそれぞれの優先度が前記第１キャリアに関連付けられる優先度より低いことを含む。
【００１８】
いくつかの可能な実現方式では、前記ｎ個の論理チャネルの優先度及び前記複数のキャリアのうちの第１キャリアに関連付けられる優先度にしたがって、前記ｎ個の論理チャネルからｋ個の論理チャネルを決定することは、
前記ｎ個の論理チャネルから前記ｋ個の論理チャネルを決定することであって、前記ｋ個の論理チャネルのそれぞれの優先度が前記第１キャリアに関連付けられる優先度より高いことを含む。
【００１９】
いくつかの可能な実現方式では、前記複数のキャリアのそれぞれに１つの優先度のみが関連付けられる。
【００２０】
いくつかの可能な実現方式では、前記複数のキャリアのそれぞれに関連付けられる優先度がネットワーク装置により設定された優先度である。
【００２１】
いくつかの可能な実現方式では、前記複数のキャリアのそれぞれに関連付けられる優先度が予め設定された優先度である。
【００２２】
いくつかの可能な実現方式では、前記方法は、
第１キャリアのチャネルビジー率及び第１閾値にしたがって、キャリア再選択の実行を許容するかどうかを判断することを更に含む。
【００２３】
いくつかの可能な実現方式では、前記各論理チャネルの優先度がそれぞれ１つの閾値に関連付けられる。
【００２４】
いくつかの可能な実現方式では、前記第１閾値が前記ｋ個の論理チャネルの優先度の関連付けられる閾値のうちの最大値である。
【００２５】
いくつかの可能な実現方式では、前記第１閾値が前記ｋ個の論理チャネルの優先度の関連付けられる閾値のうちの最小値である。
【００２６】
いくつかの可能な実現方式では、前記第１閾値が前記第１キャリアに関連付けられる優先度の関連付けられる閾値のうちの最大値である。
【００２７】
いくつかの可能な実現方式では、前記第１閾値が前記第１キャリアに関連付けられる優先度の関連付けられる閾値のうちの最小値である。
【００２８】
いくつかの可能な実現方式では、前記第１閾値は、
第１キャリアに関連付けられる優先度、及び第１キャリアに関連付けられる優先度より低い優先度の関連付けられる閾値のうちの最大値である。
【００２９】
いくつかの可能な実現方式では、前記第１閾値は、
第１キャリアに関連付けられる優先度、及び第１キャリアに関連付けられる優先度より低い優先度の関連付けられる閾値のうちの最小値である。
【００３０】
いくつかの可能な実現方式では、前記第１閾値は、
第１キャリアに関連付けられる優先度、及び第１キャリアに関連付けられる優先度より高い優先度の関連付けられる閾値のうちの最大値である。
【００３１】
いくつかの可能な実現方式では、前記第１閾値は、
第１キャリアに関連付けられる優先度、及び第１キャリアに関連付けられる優先度より高い優先度の関連付けられる閾値のうちの最小値である。
【００３２】
いくつかの可能な実現方式では、前記ｎ個の論理チャネルの優先度及び前記複数のキャリアのうちの第１キャリアに関連付けられる優先度にしたがって、前記ｎ個の論理チャネルからｋ個の論理チャネルを決定することは、
前記ｎ個の論理チャネルから第３論理チャネル及び第４論理チャネルを決定することであって、前記第３論理チャネル及び前記第４論理チャネルは、パケットデータ収束プロトコル（ＰＤＣＰ）データの複製を行うために使用されることと、
前記ｋ個の論理チャネルのうちの論理チャネルとして、前記第３論理チャネル及び前記第４論理チャネルから１つの論理チャネルのみを選択することとを含む。
【００３３】
いくつかの可能な実現方式では、前記ｋ個の論理チャネルのうちの論理チャネルとして、前記第３論理チャネル及び前記第４論理チャネルから１つの論理チャネルのみを選択することは、
第１条件を満足する場合、前記ｋ個の論理チャネルのうちの論理チャネルとして、前記第３論理チャネル及び前記第４論理チャネルから前記第３論理チャネルを選択することを含む。
【００３４】
いくつかの可能な実現方式では、前記第１条件は、
前記第４論理チャネルに、伝送するデータがないことを含む。
【００３５】
いくつかの可能な実現方式では、前記第１条件は、
前記第３論理チャネル及び第４論理チャネルの両方に、伝送するデータがあることを含む。
【００３６】
いくつかの可能な実現方式では、前記第１条件は、
前記第３論理チャネルが前記第１キャリアに関連付けられることを含む。
【００３７】
いくつかの可能な実現方式では、前記第３論理チャネルと前記第１キャリアとの関連付け関係は、端末装置によって決定され、又は前記第３論理チャネルと前記第１キャリアとの関連付け関係は、ネットワーク装置によって設定される。
【００３８】
いくつかの可能な実現方式では、前記第３論理チャネル及び前記第４論理チャネルは、端末装置によって決定され、又は前記第３論理チャネル及び前記第４論理チャネルは、ネットワーク装置によって設定される。
【００３９】
第２態様において、端末装置を提供し、前記端末装置は、ｍ個の論理チャネル及び複数のキャリアを有し、前記ｍ個の論理チャネルのそれぞれに優先度が設定され、前記複数のキャリアのそれぞれに前記ｍ個の論理チャネルのうちの少なくとも１つの論理チャネルの優先度が関連付けられ、ｍ＞０であり、
前記端末装置は、
ｎ個の論理チャネルで無線リンク層制御（ＲＬＣ）プロトコルデータを受信するように構成される送受信ユニットであって、前記ｎ個の論理チャネルが前記ｍ個の論理チャネルに属し、ｍ≧ｎ＞０である送受信ユニットと、
前記ｎ個の論理チャネルの優先度及び前記複数のキャリアのうちの第１キャリアに関連付けられる優先度にしたがって、前記ｎ個の論理チャネルからｋ個の論理チャネルを決定するように構成され、ｎ≧ｋ＞０であり、媒体アクセス制御（ＭＡＣ）プロトコルデータユニット（ＰＤＵ）を生成するように構成され、前記ＭＡＣ  ＰＤＵが前記ｋ個の論理チャネルにおけるＲＬＣ  ＰＤＵを含む処理ユニットとを備える。
【００４０】
第３態様において、端末装置を提供し、前記端末装置は、ｍ個の論理チャネル及び複数のキャリアを有し、前記ｍ個の論理チャネルのそれぞれに優先度が設定され、前記複数のキャリアのそれぞれに前記ｍ個の論理チャネルのうちの少なくとも１つの論理チャネルの優先度が関連付けられ、ｍ＞０であり、
前記端末装置は、
ｎ個の論理チャネルで無線リンク層制御（ＲＬＣ）プロトコルデータを受信するように構成される送受信機であって、前記ｎ個の論理チャネルが前記ｍ個の論理チャネルに属し、ｍ≧ｎ＞０である送受信機と、
前記ｎ個の論理チャネルの優先度及び前記複数のキャリアのうちの第１キャリアに関連付けられる優先度にしたがって、前記ｎ個の論理チャネルからｋ個の論理チャネルを決定するように構成され、ｎ≧ｋ＞０であり、媒体アクセス制御（ＭＡＣ）プロトコルデータユニット（ＰＤＵ）を生成するように構成され、前記ＭＡＣ  ＰＤＵが前記ｋ個の論理チャネルにおけるＲＬＣ  ＰＤＵを含むプロセッサとを備える。
【００４１】
第４態様において、チップを提供し、前記チップは、上記第１態様のいずれか１つの可能な実現方式における方法を実行するために使用される。
【００４２】
いくつかの可能な実現方式では、前記チップは、メモリから前記第１態様のいずれか１つの可能な実現方式における方法を実行するための命令を含むコンピュータプログラムを呼び出して実行するために使用されるプロセッサを備える。
【００４３】
いくつかの可能な実現方式では、前記チップは更にメモリを備える。
【００４４】
第５態様において、コンピュータ可読媒体を提供し、前記コンピュータ可読媒体は、前記第１態様のいずれか１つの可能な実現方式における方法を実行するための命令を含むコンピュータプログラムを記憶するために使用される。
【００４５】
第６態様において、データ生成方法を提供し、前記端末装置は、端末装置に適用され、第３論理チャネル、第４論理チャネル及び少なくとも１つのキャリアが設定され、前記第３論理チャネル及び前記第４論理チャネルがパケットデータ収束プロトコル（ＰＤＣＰ）データの複製を行うために使用され、
前記方法は、
第１条件を満足する場合、前記少なくとも１つのキャリアのうちの第１キャリアに対して媒体アクセス制御（ＭＡＣ）プロトコルデータユニット（ＰＤＵ）を生成し、前記ＭＡＣ  ＰＤＵが前記第３論理チャネル及び前記第４論理チャネルのうちの前記第３論理チャネルのＲＬＣ  ＰＤＵを含むことを含む。
【００４６】
いくつかの可能な実現方式では、前記第１条件は、
前記第４論理チャネルに、伝送するデータがないことを含む。
【００４７】
いくつかの可能な実現方式では、前記第１条件は、
前記第３及び第４論理チャネルの両方に、伝送するデータがあることを含む。
【００４８】
いくつかの可能な実現方式では、前記第１条件は、
前記第３論理チャネルが前記第１キャリアに関連付けられることを含む。
【００４９】
いくつかの可能な実現方式では、前記第３論理チャネルと前記第１キャリアとの関連付け関係は、端末装置によって決定され、又は前記第３論理チャネルと前記第１キャリアとの関連付け関係は、ネットワーク装置によって設定される。
【００５０】
いくつかの可能な実現方式では、前記第３論理チャネル及び前記第４論理チャネルは、端末装置によって決定され、又は前記第３論理チャネル及び前記第４論理チャネルは、ネットワーク装置によって設定される。
【００５１】
第７態様において、端末装置を提供し、前記端末装置に第３論理チャネル、第４論理チャネル及び少なくとも１つのキャリアが設定され、前記第３論理チャネル及び前記第４論理チャネルがパケットデータ収束プロトコル（ＰＤＣＰ）データの複製を行うために使用され、
前記端末装置は、
第１条件を満足する場合、前記少なくとも１つのキャリアのうちの第１キャリアに対して媒体アクセス制御（ＭＡＣ）プロトコルデータユニット（ＰＤＵ）を生成するように構成される処理ユニットであって、前記ＭＡＣ  ＰＤＵが前記第３論理チャネル及び前記第４論理チャネルのうちの前記第３論理チャネルのＲＬＣ  ＰＤＵを含む処理ユニットを備える。
【００５２】
第８態様において、端末装置を提供し、前記端末装置に第３論理チャネル、第４論理チャネル及び少なくとも１つのキャリアが設定され、前記第３論理チャネル及び前記第４論理チャネルがパケットデータ収束プロトコル（ＰＤＣＰ）データの複製を行うために使用され、
前記端末装置は、
第１条件を満足する場合、前記少なくとも１つのキャリアのうちの第１キャリアに対して媒体アクセス制御（ＭＡＣ）プロトコルデータユニット（ＰＤＵ）を生成するように構成されるプロセッサであって、前記ＭＡＣ  ＰＤＵが前記第３論理チャネル及び前記第４論理チャネルのうちの前記第３論理チャネルのＲＬＣ  ＰＤＵを含むプロセッサを備える。
【００５３】
第９態様において、チップを提供し、前記チップは、前記第６態様のいずれか１つの可能な実現方式における方法を実行するために使用される。
【００５４】
いくつかの可能な実現方式では、前記チップは、メモリから前記第６態様のいずれか１つの可能な実現方式における方法を実行するための命令を含むコンピュータプログラムを呼び出して実行するために使用されるプロセッサを備える。
【００５５】
いくつかの可能な実現方式では、前記チップは更にメモリを備える。
【００５６】
第１０態様において、コンピュータ可読媒体を提供し、前記第６態様のいずれか１つの可能な実現方式における方法を実行するための命令を含むコンピュータプログラムを記憶するために使用される。
【００５７】
第１１態様において、論理チャネルの設定方法を提供し、前記論理チャネルの設定方法は、端末装置に適用され、前記端末装置に少なくとも１つの論理チャネルが設定され、前記少なくとも１つの論理チャネルに第１論理チャネルが含まれ、第１論理チャネルが少なくとも１つの第１信頼性要求に関連付けられる。
【００５８】
いくつかの可能な実現方式では、前記方法は、
ネットワークにより設定された論理チャネルグループと少なくとも１つの第２信頼性要求との関連付け関係にしたがって、前記第１論理チャネルを前記論理チャネルグループに関連付けるかどうかを決定することを更に含む。
【００５９】
いくつかの可能な実現方式では、ネットワークにより設定された論理チャネルグループと少なくとも１つの第２信頼性要求との関連付け関係にしたがって、前記第１論理チャネルを前記論理チャネルグループに関連付けるかどうかを決定することは、
前記少なくとも１つの第２信頼性要求が前記少なくとも１つの第１信頼性要求のうちの少なくとも１つを含む場合、前記第１論理チャネルを前記論理チャネルグループに関連付けることを決定することを含む。
【００６０】
いくつかの可能な実現方式では、ネットワークにより設定された論理チャネルグループと少なくとも１つの第２信頼性要求との関連付け関係にしたがって、前記第１論理チャネルを前記論理チャネルグループに関連付けるかどうかを決定することは、
前記少なくとも１つの第２信頼性要求が前記少なくとも１つの第１信頼性要求を含まない場合、前記第１論理チャネルを前記論理チャネルグループに関連付けないことを決定することを含む。
【００６１】
いくつかの可能な実現方式では、前記方法は、
前記少なくとも１つの論理チャネルに関連付けられる信頼性要求にしたがって、データキャッシュレポートをトリガーすることを更に含む。
【００６２】
いくつかの可能な実現方式では、前記少なくとも１つの論理チャネルに関連付けられる信頼性要求にしたがって、データキャッシュレポートをトリガーすることは、
前記第１論理チャネルにデータが到着するとき、前記第１論理チャネルに関連付けられる信頼性要求が伝送するデータを有する他の論理チャネルより高い場合、データキャッシュレポートをトリガーすることを含む。
【００６３】
いくつかの可能な実現方式では、前記伝送するデータを有する他の論理チャネル及び前記第１論理チャネルが同じターゲットアドレスに対する。
【００６４】
いくつかの可能な実現方式では、前記伝送するデータを有する他の論理チャネルが論理チャネルグループに関連付けられる。
【００６５】
いくつかの可能な実現方式では、前記第１論理チャネルが論理チャネルグループに関連付けられる。
【００６６】
いくつかの可能な実現方式では、前記第１論理チャネルに関連付けられる論理チャネルグループは、前記伝送するデータを有する他の論理チャネルに関連付けられる論理チャネルグループと異なる。
【００６７】
いくつかの可能な実現方式では、前記第１論理チャネルに関連付けられる論理チャネルグループに関連付けられる信頼性要求は、前記伝送するデータを有する他の論理チャネルに関連付けられる論理チャネルグループの信頼性要求より高い。
【００６８】
第１２態様において、端末装置を提供し、前記端末装置に少なくとも１つの論理チャネルが設定され、前記少なくとも１つの論理チャネルに第１論理チャネルが含まれ、第１論理チャネルが少なくとも１つの第１信頼性要求に関連付けられる。
【００６９】
第１３態様において、コンピュータ可読媒体を提供し、前記第１１態様の方法実施例を実行するための命令を含むコンピュータプログラムを記憶するために使用される。
【００７０】
第１４態様において、チップを提供し、前記チップは、前記第１１態様及び様々な実現方式におけるデータ生成方法に使用される。
【００７１】
いくつかの可能な実現方式では、前記チップは、メモリから前記第１１態様のいずれか１つの可能な実現方式における方法を実行するための命令を含むコンピュータプログラムを呼び出して実行するために使用されるプロセッサを備える。
【００７２】
いくつかの可能な実現方式では、前記チップは更にメモリを備える。
【００７３】
第１５態様において、通信システムを提供し、前記通信システムは、前述した端末装置を備える。
【００７４】
第１６態様において、コンピュータプログラム製品を提供し、前記コンピュータプログラム製品は、コンピュータプログラム命令を含み、該コンピュータプログラム命令は、コンピュータに前記いずれか１つの方法実施例又はその各実現方式における方法を実行させる。
【００７５】
第１７態様において、コンピュータプログラムを提供し、前記コンピュータプログラムがコンピュータにおいて実行されるとき、コンピュータに前記いずれか１つの方法実施例又はその各実現方式における方法を実行させる。
【図面の簡単な説明】
【００７６】
【図１】本発明の実施例の伝送モードの概略フレーム図である。
【図２】本発明の実施例の他の伝送モードの概略フレーム図である。
【図３】本発明の実施例のリソースプールのセンシング方法の概略フローチャートである。
【図４】本発明の実施例のデータ生成方法の概略フローチャートである。
【図５】本発明の実施例の端末装置の概略ブロック図である。
【図６】本発明の実施例の他の端末装置の概略ブロック図である。
【図７】本発明の実施例のチップの概略ブロック図である。
【発明を実施するための形態】
【００７７】
モノのインターネット技術の進化に伴い、ｅＶ２Ｘはマルチキャリアシナリオに拡大発展し、つまり、１つの端末装置は、１つ以上のキャリアで同時に送受信をすることができる。これにより、キャリア選択の実行方法が、早急に解決する必要がある問題である。したがって、本発明の実施例は、端末装置がデータ優先度に基づいて複数のキャリアからデータを生成するためのキャリアを効果的に選択することのできるデータ生成方法を提供する。
【００７８】
以下、図面を参照しながら本発明の実施例の技術的解決策を説明する。
【００７９】
本発明の実施例は、いかなる端末装置間の通信フレームワーク、例えば、車両間通信（Ｖ２Ｖ：Ｖｅｈｉｃｌｅ  ｔｏ  Ｖｅｈｉｃｌｅ）、ビークルツーエブリシング（Ｖ２Ｘ：Ｖｅｈｉｃｌｅ  ｔｏ  Ｅｖｅｒｙｔｈｉｎｇ）、端末間通信（Ｄ２Ｄ：Ｄｅｖｉｃｅ  ｔｏ  Ｄｅｖｉｃｅ）等に適用されてもよい。つまり、図１又は図２に示される車載端末間のシステムフレームワークは、本発明の実施例の一例に過ぎず、本発明の実施例はこれに限らない。
【００８０】
本発明の実施例の端末装置は、いかなる物理層及び媒体アクセス制御層が設定される設備又は装置であってもよく、端末装置は、更に例えば、ユーザ装置（ＵＥ：Ｕｓｅｒ  Ｅｑｕｉｐｍｅｎｔ）、ユーザ要素、加入者局、移動局、トラバーサ、遠隔局、遠隔端末、モバイルデバイス、ユーザ端末、端末、無線通信装置、ユーザエージェント又はユーザデバイスなど、アクセス端末と称されてもよい。アクセス端末は、セルラ方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の線形処理装置、車載装置、ウェアラブル端末等であってもよい。本発明の実施例は車載端末を例として説明するが、これに限らない。
【００８１】
以下、本発明の実施例における端末装置が伝送リソースを取得する方法を説明する。
【００８２】
図３は、本発明の実施例における端末装置のリソースプールのセンシング方法の概略フローチャートである。
【００８３】
図３に示すように、各キャリアが少なくとも１つのサイドリンクプロセス（ｓｉｄｅｌｉｎｋ  ｐｒｏｃｅｓｓ）に対応すると仮定する。例えば、３ＧＰＰ  ｒｅｌ−１４では、１つのキャリアが２つのサイドリンクプロセスに対応する。時刻ｎに新たなパケットが到着して、端末装置はリソース選択を行う必要がある場合、端末は過去の所定期間（例えば、１ｓ）におけるセンシング結果にしたがって、［ｎ＋Ｔ１，ｎ＋Ｔ２］区間内にリソース選択を行うこととなる。具体的に、端末装置はセンシングウィンドウにおいて検出したリソースに対応するチャネル品質の情報に基づいて選択ウィンドウにおいてリソースを選択してもよい。
【００８４】
ここで、Ｔ１≦４ｍｓ、２０ｍｓ≦Ｔ２≦１００ｍｓである。
【００８５】
なお、リソースに対応するチャネル品質情報は、物理サイドリンク制御チャネル（ＰＳＣＣＨ：Ｐｈｙｓｉｃａｌ  Ｓｉｄｅｌｉｎｋ  Ｃｏｎｔｒｏｌ  Ｃｈａｎｎｅｌ）に対応する物理サイドリンク共有チャネル（ＰＳＳＣＨ：Ｐｈｙｓｉｃａｌ  Ｓｉｄｅｌｉｎｋ  Ｓｈａｒｅｄ  Ｃｈａｎｎｅｌ）のチャネル品質（例えば、受信電力又は受信品質）であってもよい。端末装置は、更に該伝送リソースセットにおけるリソースに対して受信信号強度インジケータ（ＲＳＳＩ：Ｒｅｃｅｉｖｅ  Ｓｉｇｎａｌ  Ｓｔｒｅｎｇｔｈ  Ｉｎｄｉｃａｔｏｒ）検出を行うことにより、該伝送リソースセットにおける各リソースに対応するチャネル品質の情報を取得してもよい。
【００８６】
注意されるべきように、該Ｔ１とＴ２の値の範囲は一例に過ぎず、本実施例を制限するためのものではない。
【００８７】
車両インターネットにおけるサービスは定期的特徴を有するため、本発明の実施例では、端末装置は半静的伝送方式を用いてもよい。
【００８８】
具体的には、端末装置が１つのリソースを選択して伝送する場合、該端末装置はこのリソースＣｒｅｓｅｌを連続使用・予約することとなり、データを１回伝送するたびに、Ｃｒｅｓｅｌから１を引き、Ｃｒｅｓｅｌが０まで引かれる場合、端末が［０，１］間の１つランダム数をランダムに生成して、パラメータ（ｐｒｏｂＲｅｓｏｕｒｃｅＫｅｅｐ）と比較して、該パラメータより大きい場合、端末がリソース再選択を行い、該パラメータより小さい場合、端末が該リソースを使用し続けて、Ｃｒｅｓｅｌを再設定する。
【００８９】
つまり、端末装置が今回伝送する制御情報に次回の伝送リソースの情報を搬送・予約させることにより、他の端末装置は該端末装置の制御情報を検出することでこのリソースが該端末装置に予約・使用されるかどうかを判断することができ、それによりリソース衝突を低減する目的を実現する。つまり、本発明の実施例の端末装置は１つの伝送リソースを選択した後、複数の伝送サイクルにおいて該リソースを連続使用することができ、それによりリソース再選択及びリソース衝突の確率を低減する。
【００９０】
理解されるべきように、図３に示される端末装置がリソースプールをセンシングする方法は端末装置がリソースを取得することを例示的に説明したものであり、本発明の実施例は具体的に制限しない。例えば、ネットワーク装置は端末装置に伝送リソースを割り当ててもよい。
【００９１】
以下、本発明の実施例のデータ生成方法を説明する。
【００９２】
図４は、本発明の実施例のデータ生成方法の概略フローチャートである。
【００９３】
図４に示すように、該方法は、次のステップを含む。
【００９４】
ステップ２１０において、ｎ個の論理チャネルで無線リンク層制御（ＲＬＣ：Ｒａｄｉｏ  Ｌｉｎｋ  Ｃｏｎｔｒｏｌ）プロトコルデータを受信する。
【００９５】
ステップ２２０において、該ｎ個の論理チャネルの優先度、及び端末装置が有する複数のキャリアのうちの第１キャリアに関連付けられる優先度にしたがって、該ｎ個の論理チャネルからｋ個の論理チャネルを決定する。
【００９６】
ステップ２３０において、媒体アクセス制御（ＭＡＣ：Ｍｅｄｉａ  Ａｃｃｅｓｓ  Ｃｏｎｔｒｏｌ）プロトコルデータユニット（ＰＤＵ：Ｐｒｏｔｏｃｏｌ  Ｄａｔａ  Ｕｎｉｔ）を生成し、該ＭＡＣ  ＰＤＵは該ｋ個の論理チャネルにおけるＲＬＣ  ＰＤＵを含む。
【００９７】
具体的に、端末装置がｎ個の論理チャネルで無線リンク層制御（ＲＬＣ）プロトコルデータを受信し、該ｎ個の論理チャネルが該ｍ個の論理チャネルに属し、ｍ≧ｎ＞０であり、該ｎ個の論理チャネルの優先度、及び該複数のキャリアのうちの第１キャリアに関連付けられる優先度にしたがって、該ｎ個の論理チャネルからｋ個の論理チャネルを決定し、ｎ≧ｋ＞０であり、媒体アクセス制御（ＭＡＣ）プロトコルデータユニット（ＰＤＵ）を生成し、該ＭＡＣ  ＰＤＵは該ｋ個の論理チャネルにおけるＲＬＣ  ＰＤＵを含む。
【００９８】
つまり、端末装置がｎ個の論理チャネルからｋ個の論理チャネルを選択して、このｋ個の論理チャネルに基づいて第１キャリアにおいて伝送されるＭＡＣ  ＰＤＵを生成する。
【００９９】
注意されるべきように、ＭＡＣ  ＰＤＵパケット化ルールがデータの優先度に関連付けられる。
【０１００】
したがって、本発明の実施例のデータ生成方法は、１つの前提条件を有し、つまり、端末装置にｍ個の論理チャネル及び複数のキャリアが設定され、該ｍ個の論理チャネルのそれぞれに優先度が設定され、該複数のキャリアのそれぞれに該ｍ個の論理チャネルのうちの少なくとも１つの論理チャネルの優先度が関連付けられ、ｍ＞０である。
【０１０１】
これにより、該端末装置がｎ個の論理チャネルにおけるＲＬＣデータを受信した場合、該ｎ個の論理チャネルの優先度、及び端末装置が有する複数のキャリアのうちの第１キャリアに関連付けられる優先度にしたがって、ｎ個の論理チャネルからｋ個の論理チャネルを選択し、更に該第１キャリアにおいて伝送されるＭＡＣ  ＰＤＵを生成することができる。
【０１０２】
当業者であれば理解されるように、各サブ層に入って処理されていないデータはサービスデータユニット（ＳＤＵ：ｓｅｒｖｉｃｅ  ｄａｔａ  ｕｎｉｔ）と称され、サブ層により処理されて特定フォーマットを有するデータはプロトコルデータユニット（ＰＤＵ：Ｐｒｏｔｏｃｏｌ  Ｄａｔａ  Ｕｎｉｔ）と称される。
【０１０３】
つまり、本層に形成されるＰＤＵは次層のＳＤＵである。
【０１０４】
例えば、端末装置の各論理チャネルの両方に、１つのＲＬＣエンティティ（ＲＬＣ  ｅｎｔｉｔｙ）があり、ＲＬＣエンティティがＭＡＣ層から受信したデータ、又はＭＡＣ層へ送信したデータはＲＬＣ  ＰＤＵ（又は、ＭＡＣ  ＳＤＵ）と称されてもよい。
【０１０５】
以下、本発明の実施例における端末装置が該ｎ個の論理チャネルから該ｋ個の論理チャネルを決定する実現方式を説明する。
【０１０６】
選択的に、一実施例として、端末装置は該ｎ個の論理チャネルから該ｋ個の論理チャネルを決定してもよく、該ｋ個の論理チャネルのそれぞれの優先度が該第１キャリアに関連付けられる優先度に属する。
【０１０７】
具体的には、端末装置はＭＡＣ  ＰＤＵを生成するとき、該ｎ個の論理チャネルから該ｋ個の論理チャネルを決定し、該ｋ個の論理チャネルのそれぞれの優先度が該第１キャリアに関連付けられる優先度に属し、次に該ｋ個の論理チャネルに基づいて該第１キャリアにおいて伝送されるＭＡＣ  ＰＤＵを生成してもよい。
【０１０８】
注意されるべきように、先行技術において、端末装置は一定の原則に基づいてＭＡＣ  ＰＤＵを生成する。例えば、ＭＡＣ  ＰＤＵにおけるＲＬＣ  ＳＤＵの優先度がＸを含む場合、Ｘの優先度がＹより高く、Ｙの優先度がＺより高く、且つＹとＺがいずれも端末装置が有する論理チャネルの優先度であると仮定すれば、ＭＡＣ  ＰＤＵも優先度がＹとＺであるＲＬＣ  ＳＤＵを含む。
【０１０９】
したがって、本発明の実施例のデータ生成方法と先行技術との互換性及び適用範囲を向上させるために、本発明の実施例では、先行技術におけるＭＡＣ  ＰＤＵのパケット化ルールを参照して、端末装置が有する複数のキャリアのそれぞれに関連付けられる優先度を設計してもよい。このように、現在のＭＡＣ  ＰＤＵの生成過程が変化しないように維持することができ、更に本発明の実施例と先行技術との互換性を最大限に向上させることができる。
【０１１０】
例示的なものであって制限的ではないが、該複数のキャリアのそれぞれは以下のルールにしたがって論理チャネルの優先度に関連付けられてもよい。
【０１１１】
該複数のキャリアのうちの第２キャリアに関連付けられる優先度が第１論理チャネルの優先度を含む場合、該第２キャリアに関連付けられる優先度は更に該ｍ個の論理チャネルのうちの該第１論理チャネルの優先度より低い論理チャネルの優先度を含み、該第２キャリアが該複数のキャリアのうちのいずれか１つであり、該第１論理チャネルが該ｍ個の論理チャネルのうちのいずれか１つである。
【０１１２】
つまり、第２キャリアの関連優先度を決定する場合、第２キャリアが優先度Ｘに関連付けられると決定すれば、Ｘより低い優先度がいずれも該第２キャリアに関連付けられるべきである。
【０１１３】
例えば、端末装置が８つの論理チャネルを有し、各論理チャネルが１つの優先度に対応すると仮定する。例えば、論理チャネル１の優先度が１、論理チャネル２の優先度が２であると仮定し、これによって類推すれば、論理チャネル８の優先度が８である。端末装置が３つのキャリア、例えばキャリア１、キャリア２及びキャリア３を有する場合、
該３つのキャリアは以下の形式で論理チャネルの優先度に関連付けられてもよい。
【０１１４】
キャリア１に関連付けられる優先度は１、２、３、４、５、６、７、８を含む。
【０１１５】
キャリア３に関連付けられる優先度は５、６、７、８を含む。
【０１１６】
キャリア４に関連付けられる優先度は７、８を含む。
【０１１７】
理解されるべきように、本発明の実施例では、端末装置が該ｎ個の論理チャネルから該ｋ個の論理チャネルを決定するとき、第１キャリアに関連付けられる優先度が該ｎ個の論理チャネルのうちのどの論理チャネルの優先度を含むかを分析することにより、該ｋ個の論理チャネルを更に決定してもよい。該端末装置は更に他の方式で該ｋ個の論理チャネルを決定してもよく、本発明の実施例は具体的に制限しない。
【０１１８】
以下に例示的に説明する。
【０１１９】
選択的に、一実施例として、該端末装置は該ｎ個の論理チャネルのうちの一部の論理チャネルの優先度を分析することにより該ｋ個の論理チャネルを決定してもよい。
【０１２０】
具体的に、端末装置はまず該ｎ個の論理チャネルから第２論理チャネルを決定し、該第２論理チャネルの優先度が該第１キャリアに関連付けられる優先度に属し、次に該第２論理チャネルの優先度に基づいて該ｋ個の論理チャネルを決定してもよい。本発明の実施例の第２論理チャネルは該ｎ個の論理チャネルのうちの該第１キャリアに関連付けられる優先度に属するいずれか１つの論理チャネルであってもよい。より具体的に、該端末装置は第１キャリアに関連付けられる優先度と該ｎ個の論理チャネルのうちの一部の論理チャネルの優先度との順位を比較することにより、該ｋ個の論理チャネルを決定してもよい。
【０１２１】
例えば、該ｎ個の論理チャネルのうち、該端末装置は該第２論理チャネルの優先度より低い論理チャネルを該ｋ個の論理チャネルとして決定してもよい。
【０１２２】
更に、例えば、該ｎ個の論理チャネルのうち、該端末装置は該第２論理チャネルの優先度より高い論理チャネルを該ｋ個の論理チャネルとして決定してもよい。
【０１２３】
このような場合、該複数のキャリアのそれぞれは以下のルールにしたがって論理チャネルの優先度に関連付けられてもよい。
【０１２４】
該複数のキャリアのそれぞれに関連付けられる優先度は、重複がない。
【０１２５】
例えば、端末装置が８つの論理チャネルを有し、各論理チャネルが１つの優先度に対応すると仮定する。例えば、論理チャネル１の優先度が１、論理チャネル２の優先度が２であると仮定し、これによって類推すれば、論理チャネル８の優先度が８である。端末装置が３つのキャリア、例えばキャリア１、キャリア２及びキャリア３を有する場合、
該３つのキャリアは以下の形式で論理チャネルの優先度に関連付けられてもよい。
【０１２６】
キャリア１に関連付けられる優先度は１、２、３、４を含む。
【０１２７】
キャリア２に関連付けられる優先度は５、６を含む。
【０１２８】
キャリア３に関連付けられる優先度は７、８を含む。
【０１２９】
本発明の実施例では、第２論理チャネルの優先度と第１キャリアに関連付けられる優先度とを比較して、更に第１キャリアにおいて伝送されるＭＡＣ  ＰＤＵを決定するため、先行技術におけるＭＡＣ  ＰＤＵのパケット化基準に衝突しないことになり、したがって、本発明の実施例と先行技術との互換性を最大限に向上させることができる。
【０１３０】
他の実施例として、該端末装置は第１キャリアに関連付けられる優先度と該ｎ個の論理チャネルのうちの各論理チャネルの優先度との順位を比較することにより、該ｋ個の論理チャネルを決定してもよい。
【０１３１】
例えば、該端末装置が該ｎ個の論理チャネルから該ｋ個の論理チャネルを決定し、該ｋ個の論理チャネルのそれぞれの優先度が該第１キャリアに関連付けられる優先度より低い。
【０１３２】
更に、例えば、該端末装置が該ｎ個の論理チャネルから該ｋ個の論理チャネルを決定し、該ｋ個の論理チャネルのそれぞれの優先度が該第１キャリアに関連付けられる優先度より高い。
【０１３３】
このような場合、該複数のキャリアのそれぞれは以下のルールにしたがって論理チャネルの優先度に関連付けられてもよい。
【０１３４】
該複数のキャリアのそれぞれに１つの優先度のみが関連付けられる。
【０１３５】
例えば、端末装置が８つの論理チャネルを有し、各論理チャネルが１つの優先度に対応すると仮定する。例えば、論理チャネル１の優先度が１、論理チャネル２の優先度が２であると仮定し、これによって類推すれば、論理チャネル８の優先度が８である。端末装置が３つのキャリア、例えばキャリア１、キャリア２及びキャリア３を有する場合、
該３つのキャリアは以下の形式で論理チャネルの優先度に関連付けられてもよい。
【０１３６】
キャリア１に関連付けられる優先度は１を含む。
【０１３７】
キャリア２に関連付けられる優先度は５を含む。
【０１３８】
キャリア３に関連付けられる優先度は７を含む。
【０１３９】
本発明の実施例では、該ｎ個の論理チャネルのうちの各論理チャネルの優先度と第１キャリアに関連付けられる優先度とを比較して、更に第１キャリアにおいて伝送されるＭＡＣ  ＰＤＵを決定するため、先行技術におけるＭＡＣ  ＰＤＵのパケット化基準に衝突しないことになり、したがって、本発明の実施例と先行技術との互換性を最大限に向上させることができる。
【０１４０】
理解されるべきように、本実施例の各数字はいずれも例示的に説明するためのものであり、本発明の実施例はキャリアを論理チャネルの優先度に関連付ける実現方式、及び端末装置がＭＡＣ  ＰＤＵパケット化の過程において、該ＭＡＣ  ＰＤＵを伝送するためのキャリアを決定する実現方式を説明することを目的とする。
【０１４１】
本発明の実施例は更にパケットデータ収束プロトコル（ＰＤＣＰ）データの複製シナリオに適用されるデータ生成方法を提供する。該端末装置に第３論理チャネル、第４論理チャネル及び少なくとも１つのキャリアが設定され、該第３論理チャネル及び該第４論理チャネルがパケットデータ収束プロトコル（ＰＤＣＰ）データの複製を行うために使用される。選択的に、該第３論理チャネル及び該第４論理チャネルが同じＰＤＣＰエンティティに関連付けられ、該ＰＤＣＰエンティティがＰＤＣＰ複製伝送を行うことをサポートする。選択的に、該第３論理チャネルの優先度が該第４論理チャネルの優先度と同じである。
【０１４２】
具体的に、端末装置は第１条件を満足する場合、前記少なくとも１つのキャリアのうちの第１キャリアに対して媒体アクセス制御（ＭＡＣ）プロトコルデータユニット（ＰＤＵ）を生成してもよく、該ＭＡＣ  ＰＤＵが該第３論理チャネル及び該第４論理チャネルのうちの該第３論理チャネルのＲＬＣ  ＰＤＵを含む。
【０１４３】
選択的に、該第１条件は該第４論理チャネルに伝送するデータがないことを含む。このような場合、端末装置は第４論理チャネルのＲＬＣ  ＰＤＵを優先的に伝送してもよく、より選択的に、該第４論理チャネルのＲＬＣ  ＰＤＵの伝送を完了した後、第３論理チャネルのＲＬＣ  ＰＤＵを伝送してもよい。
【０１４４】
選択的に、該第１条件は、該第３論理チャネル及び第４論理チャネルの両方に、伝送するデータがあることを含む。このような場合、端末装置は第３論理チャネルのＲＬＣ  ＰＤＵを優先的に伝送してもよく、より選択的に、該第３論理チャネルのＲＬＣ  ＰＤＵの伝送を完了した後、第４論理チャネルのＲＬＣ  ＰＤＵを伝送してもよい。
【０１４５】
選択的に、該第１条件は、該第３論理チャネルが該第１キャリアに関連付けられることを含む。
【０１４６】
選択的に、該第３論理チャネルと該第１キャリアとの関連付け関係は端末装置によって決定され、又は該第３論理チャネルと該第１キャリアとの関連付け関係はネットワーク装置によって設定される。
【０１４７】
選択的に、該第３論理チャネル及び該第４論理チャネルは端末装置によって決定され、又は該第３論理チャネル及び該第４論理チャネルはネットワーク装置によって設定される。
【０１４８】
更に理解されるべきように、前記ＰＤＣＰデータの複製シナリオに適用されるデータ生成方法は、図４に示されるデータ生成方法に組み合わせられてもよい。具体的に、端末装置は該ｎ個の論理チャネルから第３論理チャネル及び第４論理チャネルを決定し、次に、該第３論理チャネル及び該第４論理チャネルから１つの論理チャネルのみを該ｋ個の論理チャネルのうちの論理チャネルとして選択してもよい。簡潔のため、ここで詳細な説明は省略する。
【０１４９】
以上は端末装置が第１キャリアのＭＡＣ  ＰＤＵを決定することを例示的に説明したが、説明されるべきように、本発明の実施例では、第１キャリアを決定した後、更にキャリア再選択を行ってもよい。以下に端末装置がキャリア再選択を行うことを許容する実現方式を例示的に説明する。
【０１５０】
選択的に、１つの実現可能方式では、端末装置は第１キャリアのチャネルビジー率及び第１閾値にしたがって、キャリア再選択の実行を許容するかどうかを判断してもよい。例えば、該第１キャリアチャネルのビジー率が該第１閾値より大きい場合、該端末装置がキャリア再選択を行うことを許容し、更に、例えば、該第１キャリアのビジー率が第１閾値以下である場合、該端末装置がキャリア再選択を行うことを許容しない。理解されるべきように、以上は端末装置が第１キャリアのチャネルビジー率及び第１閾値によってキャリア再選択の実行を許容するかどうかを判断することを例とするが、他の実施例では、該端末装置は更に他の情報、例えば第１キャリアの負荷及び対応する閾値によってキャリア再選択を行うことを許容するかどうかを決定してもよい。
【０１５１】
以下、第１閾値の決定を例示的に説明する。
【０１５２】
選択的に、各論理チャネルの優先度がそれぞれ１つの閾値に関連付けられる。
【０１５３】
選択的に、該第１閾値が該ｋ個の論理チャネルの優先度に関連付けられる閾値のうちの最大値である。
【０１５４】
選択的に、該第１閾値が該ｋ個の論理チャネルの優先度に関連付けられる閾値のうちの最小値である。
【０１５５】
選択的に、該第１閾値が該第１キャリアに関連付けられる優先度に関連付けられる閾値のうちの最大値である。
【０１５６】
選択的に、該第１閾値が該第１キャリアに関連付けられる優先度に関連付けられる閾値のうちの最小値である。
【０１５７】
選択的に、該第１閾値は、
第１キャリアに関連付けられる優先度、及び第１キャリアに関連付けられる優先度より低い優先度に関連付けられる閾値のうちの最大値である。
【０１５８】
選択的に、該第１閾値は、
第１キャリアに関連付けられる優先度、及び第１キャリアに関連付けられる優先度より低い優先度に関連付けられる閾値のうちの最小値である。
【０１５９】
選択的に、該第１閾値は、
第１キャリアに関連付けられる優先度、及び第１キャリアに関連付けられる優先度より高い優先度に関連付けられる閾値のうちの最大値である。
【０１６０】
選択的に、該第１閾値は、
第１キャリアに関連付けられる優先度、及び第１キャリアに関連付けられる優先度より高い優先度に関連付けられる閾値のうちの最小値である。
【０１６１】
なお、本発明の実施例は更に論理チャネルの設定方法を提供し、このような論理チャネルの設定方法は端末装置に適用されてもよく、該論理チャネルの設定方法によって、該端末装置に少なくとも１つの論理チャネルが設定され、前記少なくとも１つの論理チャネルに第１論理チャネルが含まれ、第１論理チャネルが少なくとも１つの第１信頼性要求に関連付けられることを可能にすることができる。
【０１６２】
理解されるべきように、本発明の実施例では、信頼性要求の具体的な表現形式を制限しない。例えば、小さな値が高い信頼性要求を代表してもよい。更に、例えば、大きな値は低い信頼性要求を代表してもよい。
【０１６３】
選択的に、該端末装置はネットワークにより設定された論理チャネルグループと少なくとも１つの第２信頼性要求との関連付け関係にしたがって、該第１論理チャネルを該論理チャネルグループに関連付けるかどうかを決定してもよい。
【０１６４】
例えば、前記少なくとも１つの第２信頼性要求が前記少なくとも１つの第１信頼性要求のうちの少なくとも１つを含む場合、該第１論理チャネルを該論理チャネルグループに関連付けることを決定する。
【０１６５】
更に、例えば、前記少なくとも１つの第２信頼性要求が前記少なくとも１つの第１信頼性要求を含まない場合、該第１論理チャネルを該論理チャネルグループに関連付けないことを決定する。
【０１６６】
選択的に、該端末装置は更に前記少なくとも１つの論理チャネルに関連付けられる信頼性要求に応じて、データキャッシュレポートをトリガーしてもよい。
【０１６７】
例えば、該第１論理チャネルにデータが到着するとき、該第１論理チャネルに関連付けられる信頼性要求が伝送するデータを有する他の論理チャネルより高い場合、データキャッシュレポートをトリガーする。
【０１６８】
本発明の実施例は第１論理チャネルに関連付けられる信頼性要求が伝送するデータを有する他の論理チャネルより高い場合を例として、データキャッシュレポートをトリガーする実現方式を説明するが、理解されるべきように、他の実施例では、データキャッシュレポートをトリガーするとき、該端末装置は更に他の条件を満足する必要がある。以下に例示的に説明する。
【０１６９】
選択的に、前記伝送するデータを有する他の論理チャネル及び該第１論理チャネルが同じターゲットアドレスに対するものである。
【０１７０】
選択的に、前記伝送するデータを有する他の論理チャネルが論理チャネルグループに関連付けられる。
【０１７１】
選択的に、該第１論理チャネルが論理チャネルグループに関連付けられる。
【０１７２】
選択的に、該第１論理チャネルに関連付けられる論理チャネルグループが前記伝送するデータを有する他の論理チャネルに関連付けられる論理チャネルグループと異なる。
【０１７３】
選択的に、該第１論理チャネルに関連付けられる論理チャネルグループに関連付けられる信頼性要求が前記伝送するデータを有する他の論理チャネルに関連付けられる論理チャネルグループの信頼性要求より高い。
【０１７４】
図５は、本発明の実施例の端末装置の概略ブロック図である。理解されるべきように、本発明の実施例の端末装置がｍ個の論理チャネル及び複数のキャリアを有し、該ｍ個の論理チャネルのそれぞれに優先度が設定され、該複数のキャリアのそれぞれに該ｍ個の論理チャネルのうちの少なくとも１つの論理チャネルの優先度が関連付けられ、ｍ＞０である。
【０１７５】
図５に示すように、該端末装置３００は、
ｎ個の論理チャネルで無線リンク層制御（ＲＬＣ）プロトコルデータを受信するように構成される送受信ユニット３１０であって、該ｎ個の論理チャネルが該ｍ個の論理チャネルに属し、ｍ≧ｎ＞０である送受信ユニット３１０と、
該ｎ個の論理チャネルの優先度及び該複数のキャリアのうちの第１キャリアに関連付けられる優先度にしたがって、該ｎ個の論理チャネルからｋ個の論理チャネルを決定するように構成され、ｎ≧ｋ＞０であり、媒体アクセス制御（ＭＡＣ）プロトコルデータユニット（ＰＤＵ）を生成するように構成され、該ＭＡＣ  ＰＤＵが該ｋ個の論理チャネルにおけるＲＬＣ  ＰＤＵを含む処理ユニット３２０とを備える。
【０１７６】
選択的に、該処理ユニット３２０は、具体的に、
該ｎ個の論理チャネルから該ｋ個の論理チャネルを決定するように構成され、該ｋ個の論理チャネルのそれぞれの優先度が該第１キャリアに関連付けられる優先度に属する。
【０１７７】
選択的に、該複数のキャリアのうちの第２キャリアに関連付けられる優先度が該ｍ個の論理チャネルのうちの第１論理チャネルの優先度を含む場合、該第２キャリアに関連付けられる優先度は、該ｍ個の論理チャネルのうちの該第１論理チャネルの優先度より低い論理チャネルの優先度を更に含む。
【０１７８】
選択的に、該処理ユニット３２０は、具体的に、
該ｎ個の論理チャネルから第２論理チャネルを決定し、該第２論理チャネルの優先度が該第１キャリアに関連付けられる優先度に属し、該第２論理チャネルの優先度にしたがって、該ｋ個の論理チャネルを決定するように構成される。
【０１７９】
選択的に、該処理ユニット３２０は、より具体的に、
該ｎ個の論理チャネルで、該第２論理チャネルの優先度より低い論理チャネルを該ｋ個の論理チャネルとして決定するように構成される。
【０１８０】
選択的に、該処理ユニット３２０は、より具体的に、
該ｎ個の論理チャネルのうちの該第２論理チャネルの優先度より高い論理チャネルを該ｋ個の論理チャネルとして決定するように構成される。
【０１８１】
選択的に、該複数のキャリアのそれぞれに関連付けられる優先度は重複がない。
【０１８２】
選択的に、該処理ユニット３２０は、具体的に、
該ｎ個の論理チャネルから該ｋ個の論理チャネルを決定するように構成され、該ｋ個の論理チャネルのそれぞれの優先度が該第１キャリアに関連付けられる優先度より低い。
【０１８３】
選択的に、該処理ユニット３２０は、具体的に、
該ｎ個の論理チャネルから該ｋ個の論理チャネルを決定するように構成され、該ｋ個の論理チャネルのそれぞれの優先度が該第１キャリアに関連付けられる優先度より高い。
【０１８４】
選択的に、該複数のキャリアのそれぞれに１つの優先度のみが関連付けられる。
【０１８５】
選択的に、該複数のキャリアのそれぞれに関連付けられる優先度がネットワーク装置により設定された優先度である。
【０１８６】
選択的に、該複数のキャリアのそれぞれに関連付けられる優先度が予め設定された優先度である。
【０１８７】
選択的に、該処理ユニット３２０は、更に、
第１キャリアのチャネルビジー率及び第１閾値にしたがって、キャリア再選択の実行を許容するかどうかを判断するように構成される。
【０１８８】
選択的に、各論理チャネルの優先度がそれぞれ１つの閾値に関連付けられる。
【０１８９】
選択的に、該第１閾値は、該ｋ個の論理チャネルの優先度に関連付けられる閾値のうちの最大値である。
【０１９０】
選択的に、該第１閾値は、該ｋ個の論理チャネルの優先度に関連付けられる閾値のうちの最小値である。
【０１９１】
選択的に、該第１閾値は、該第１キャリアに関連付けられる優先度に関連付けられる閾値のうちの最大値である。
【０１９２】
選択的に、該第１閾値は、該第１キャリアに関連付けられる優先度に関連付けられる閾値のうちの最小値である。
【０１９３】
選択的に、該第１閾値は、
第１キャリアに関連付けられる優先度、及び第１キャリアに関連付けられる優先度より低い優先度の関連付けられる閾値のうちの最大値である。
【０１９４】
選択的に、該第１閾値は、
第１キャリアに関連付けられる優先度、及び第１キャリアに関連付けられる優先度より低い優先度の関連付けられる閾値のうちの最小値である。
【０１９５】
選択的に、該第１閾値は、
第１キャリアに関連付けられる優先度、及び第１キャリアに関連付けられる優先度より高い優先度の関連付けられる閾値のうちの最大値である。
【０１９６】
選択的に、該第１閾値は、
第１キャリアに関連付けられる優先度、及び第１キャリアに関連付けられる優先度より高い優先度の関連付けられる閾値のうちの最小値である。
【０１９７】
なお、パケットデータ収束プロトコル（ＰＤＣＰ）データの複製シナリオに適用されるデータを生成する端末装置を更に提供する。該端末装置に第３論理チャネル、第４論理チャネル及び少なくとも１つのキャリアが設定され、該第３論理チャネル及び該第４論理チャネルがパケットデータ収束プロトコル（ＰＤＣＰ）データの複製を行うために使用される。該端末装置は、第１条件を満足する場合、前記少なくとも１つのキャリアのうちの第１キャリアに対して媒体アクセス制御（ＭＡＣ）プロトコルデータユニット（ＰＤＵ）を生成するように構成される処理ユニットであって、該ＭＡＣ  ＰＤＵが該第３論理チャネル及び該第４論理チャネルのうちの該第３論理チャネルのＲＬＣ  ＰＤＵを含む処理ユニットを備えてもよい。選択的に、該第３論理チャネル及び該第４論理チャネルが同じＰＤＣＰエンティティに関連付けられ、該ＰＤＣＰエンティティがＰＤＣＰ複製伝送を行うことをサポートする。選択的に、該第３論理チャネルの優先度が該第４論理チャネルの優先度と同じである。
【０１９８】
選択的に、該第１条件は、該第４論理チャネルに、伝送するデータがないことを含む。このような場合、端末装置は第４論理チャネルのＲＬＣ  ＰＤＵを優先的に伝送してもよく、より選択的に、該第４論理チャネルのＲＬＣ  ＰＤＵの伝送を完了した後、第３論理チャネルのＲＬＣ  ＰＤＵを伝送してもよい。
【０１９９】
選択的に、該第１条件は該第３及び第４論理チャネルの両方に、伝送するデータがあることを含む。このような場合、端末装置は第３論理チャネルのＲＬＣ  ＰＤＵを優先的に伝送してもよく、より選択的に、該第３論理チャネルのＲＬＣ  ＰＤＵの伝送を完了した後、第４論理チャネルのＲＬＣ  ＰＤＵを伝送してもよい。
【０２００】
選択的に、該第１条件は、該第３論理チャネルが該第１キャリアに関連付けられることを含む。
【０２０１】
選択的に、該第３論理チャネルと該第１キャリアとの関連付け関係は端末装置によって決定され、又は該第３論理チャネルと該第１キャリアとの関連付け関係はネットワーク装置によって設定される。
【０２０２】
選択的に、該第３論理チャネル及び該第４論理チャネルは端末装置によって決定され、又は該第３論理チャネル及び該第４論理チャネルはネットワーク装置によって設定される。
【０２０３】
選択的に、図５に示される端末装置は前記ＰＤＣＰデータの複製シナリオに適用される端末装置に組み合わせられてもよい。簡潔のため、ここで詳細な説明は省略する。
【０２０４】
選択的に、図５に示される端末装置に少なくとも１つの論理チャネルが設定され、前記少なくとも１つの論理チャネルに第１論理チャネルが含まれ、第１論理チャネルが少なくとも１つの第１信頼性要求に関連付けられてもよい。
【０２０５】
選択的に、該端末装置は、
ネットワークにより設定された論理チャネルグループと少なくとも１つの第２信頼性要求との関連付け関係にしたがって、該第１論理チャネルを該論理チャネルグループに関連付けるかどうかを決定するように構成される処理ユニット３２０を備える。
【０２０６】
選択的に、該処理ユニット３２０は、具体的に、
前記少なくとも１つの第２信頼性要求が前記少なくとも１つの第１信頼性要求のうちの少なくとも１つを含む場合、該第１論理チャネルを該論理チャネルグループに関連付けることを決定するように構成される。
【０２０７】
選択的に、該処理ユニット３２０は、具体的に、
前記少なくとも１つの第２信頼性要求が前記少なくとも１つの第１信頼性要求を含まない場合、該第１論理チャネルを該論理チャネルグループに関連付けないことを決定するように構成される。
【０２０８】
選択的に、該送受信ユニット３１０は前記少なくとも１つの論理チャネルに関連付けられる信頼性要求に応じて、データキャッシュレポートをトリガーするように構成される。
【０２０９】
選択的に、該送受信ユニット３１０は、具体的に、
該第１論理チャネルにデータが到着するとき、該第１論理チャネルに関連付けられる信頼性要求が伝送するデータを有する他の論理チャネルより高い場合、データキャッシュレポートをトリガーするように構成される。
【０２１０】
選択的に、前記伝送するデータを有する他の論理チャネル及び該第１論理チャネルは、同じターゲットアドレスに対する。
【０２１１】
選択的に、前記伝送するデータを有する他の論理チャネルは、論理チャネルグループに関連付けられる。
【０２１２】
選択的に、該第１論理チャネルは、論理チャネルグループに関連付けられる。
【０２１３】
選択的に、該第１論理チャネルに関連付けられる論理チャネルグループが前記伝送するデータを有する他の論理チャネルに関連付けられる論理チャネルグループと異なる。
【０２１４】
選択的に、該第１論理チャネルに関連付けられる論理チャネルグループに関連付けられる信頼性要求は、前記伝送するデータを有する他の論理チャネルに関連付けられる論理チャネルグループの信頼性要求より高い。
【０２１５】
本発明の実施例において、送受信ユニット３１０は送受信機により実現されてもよく、処理ユニット３２０はプロセッサにより実現されてもよい。図６に示すように、端末装置４００はプロセッサ４１０、送受信機４２０及びメモリ４３０を備えてもよい。メモリ４３０は指示情報を記憶するために使用されてもよいし、プロセッサ４１０によって実行されるコード、命令等を記憶するために使用されてもよい。端末装置４００における各コンポーネントは、バスシステムによって接続され、バスシステムは、データバスのほか、更に電源バス、制御バス及び状態信号バスを含む。
【０２１６】
図６に示される端末装置４００は、前記図４の方法実施例における端末装置の実現する各過程を実現することができ、重複を避けるため、ここで詳細な説明は省略する。つまり、本発明の実施例の方法実施例はプロセッサに適用されてもよいし、プロセッサにより実現されてもよい。
【０２１７】
図７は、本願の実施例に係るチップの概略構造図である。図７に示されるチップ５００はプロセッサ５１０を備え、本願の実施例の方法を実現するよう、プロセッサ５１０はメモリからコンピュータプログラムを呼び出して実行することができる。
【０２１８】
選択的に、図７に示すように、チップ５００は更にメモリ５２０を備えてもよい。本願の実施例の方法を実現するために、プロセッサ５１０はメモリ５２０からコンピュータプログラムを呼び出して実行することができる。
【０２１９】
メモリ５２０は、プロセッサ５１０から独立した１つのデバイスであってもよいし、プロセッサ５１０に統合されたよい。
【０２２０】
選択的に、該チップ５００は更に入力インターフェース５３０を備えてもよい。プロセッサ５１０は該入力インターフェース５３０が他の装置又はチップと通信するように制御することができ、具体的に、他の装置又はチップから送信された情報又はデータを取得することができる。
【０２２１】
選択的に、該チップ５００は更に出力インターフェース５４０を備えてもよい。プロセッサ５１０は該出力インターフェース５４０が他の装置又はチップと通信するように制御することができ、具体的に、他の装置又はチップへ情報又はデータを出力することができる。
【０２２２】
選択的に、該チップは本願の実施例のネットワーク装置に適用されてもよく、且つ該チップは本願の実施例の各方法におけるネットワーク装置の実現する対応プロセスを実現することができ、簡潔のため、ここで詳細な説明は省略する。
【０２２３】
選択的に、該チップは本願の実施例の端末装置に適用されてもよく、且つ該チップは本願の実施例の各方法における端末装置の実現する対応プロセスを実現することができ、簡潔のため、ここで詳細な説明は省略する。
【０２２４】
理解されるべきように、本願の実施例に言及したチップは更にシステムレベルのチップ、システムチップ、チップシステム又は内蔵システムチップ等と称されてもよい。
【０２２５】
実現過程において、本発明の実施例の方法実施例の各ステップは、プロセッサにおけるハードウェアの集積論理回路又はソフトウェア形式の命令で行われてもよい。より具体的に、本発明の実施例に開示される方法のステップはハードウェア復号プロセッサで実行して完成し、又は復号プロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能な読み出し専用メモリ又は電気消去可能なプログラム可能メモリ、レジスタ等の本分野の熟知の記憶媒体に位置してもよい。該記憶媒体はメモリに位置し、プロセッサはメモリにおける情報を読み取り、そのハードウェアと組み合わせて前記方法のステップを行う。
【０２２６】
理解されるべきように、本発明の実施例に言及したプロセッサは信号処理機能を有する、本発明の実施例に開示される各方法、ステップ及び論理ブロックを実現又は実行することのできる集積回路チップでありうる。例えば、前記プロセッサは汎用プロセッサ、デジタルシグナルプロセッサ（ＤＳＰ：ｄｉｇｉｔａｌ  ｓｉｇｎａｌ  ｐｒｏｃｅｓｓｏｒ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）又は他のプログラマブルロジックデバイス、トランジスタロジックデバイス、個別ハードウェアコンポーネント等であってもよい。なお、汎用プロセッサはマイクロプロセッサであってもよく、又は該プロセッサはいかなる通常のプロセッサ等であってもよい。
【０２２７】
なお、本発明の実施例に言及したメモリは揮発性メモリであっても、又は不揮発性メモリであってもよく、又は、揮発性メモリ及び不揮発性メモリの両方を含んでもよい。不揮発性メモリは読み出し専用メモリ（ＲＯＭ：ｒｅａｄ−ｏｎｌｙ  ｍｅｍｏｒｙ）、プログラム可能読み出し専用メモリ（ＰＲＯＭ：ｐｒｏｇｒａｍｍａｂｌｅ  ＲＯＭ）、消去可能プログラム可能読み出し専用メモリ（ＥＰＲＯＭ：ｅｒａｓａｂｌｅ  ＰＲＯＭ）、電気的消去可能プログラム可能読み出し専用メモリ（ＥＥＰＲＯＭ：ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ：ｒａｎｄｏｍ  ａｃｃｅｓｓ  ｍｅｍｏｒｙ）であってもよい。理解されるべきように、前記メモリは制限ではなく例示的なものであり、例えば、本発明の実施例のメモリは更にスタティックランダムアクセスメモリ（ＳＲＡＭ：ｓｔａｔｉｃ  ＲＡＭ）、ダイナミックランダムアクセスメモリ（ＤＲＡＭ：ｄｙｎａｍｉｃ  ＲＡＭ）、シンクロナスダイナミックランダムアクセスメモリ（ＳＤＲＡＭ：ｓｙｎｃｈｒｏｎｏｕｓ  ＤＲＡＭ）、ダブルデータレートシンクロナスダイナミックランダムアクセスメモリ（ＤＤＲ  ＳＤＲＡＭ：ｄｏｕｂｌｅ  ｄａｔａ  ｒａｔｅ  ＳＤＲＡＭ）、拡張型シンクロナスダイナミックランダムアクセスメモリ（ＥＳＤＲＡＭ：ｅｎｈａｎｃｅｄ  ＳＤＲＡＭ）、シンクリンクダイナミックランダムアクセスメモリ（ＳＬＤＲＡＭ：ｓｙｎｃｈ  ｌｉｎｋ  ＤＲＡＭ）及びダイレクトラムバスランダムアクセスメモリ（ＤＲ  ＲＡＭ：Ｄｉｒｅｃｔ  Ｒａｍｂｕｓ  ＲＡＭ）等であってもよい。つまり、本明細書に説明されるシステム及び方法のメモリはこれらのメモリ及び任意の他の適切なタイプのメモリを含むが、それらに限らないように意図されるものである。
【０２２８】
最後に、注意されるべきように、本発明の実施例及び添付の特許請求の範囲に使用される用語は特定の実施例を説明するためのものであって、本発明の実施例を制限するためのものではない。
【０２２９】
例えば、上下の文脈において他の意味を明確に示していない限り、本発明の実施例及び添付の特許請求の範囲に使用される単数形式の「１つ」「前記」「上記」及び「該」も複数形式を含むように意図される。
【０２３０】
更に、例えば、本発明の実施例では用語「第１キャリア」と「第２キャリア」を用いる可能性があるが、これらのキャリアがこれらの用語に限らない。これらの用語はキャリアを区分するためのものである。
【０２３１】
更に、例えば、コンテクストによって、ここで使用される用語「○○時」は「○○であれば」又は「○○場合」又は「○○際」又は「決定に応答する」又は「検出に応答する」と解釈されてもよい。それと似ていて、コンテクストによって、連語「決定すれば」又は「（陳述した条件又はイベントを）検出すれば」は「決定する時」又は「決定に応答する」又は「（陳述した条件又はイベントを）検出する時」又は「（陳述した条件又はイベントの）検出に応答する」と解釈されてもよい。
【０２３２】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術的解決策の特定応用及び設計制約条件によって決定される。当業者は各特定応用に対して異なる方法でここの説明される機能を実現することができるが、このような実現は本発明の実施例の範囲を超えるものと見なされるべきではない。
【０２３３】
当業者であれば明確に理解できるように、説明を容易且つ簡単にするために、上記に説明されるシステム、装置及びユニットの具体的な動作過程は、前述の方法実施例における対応過程を参照してもよく、ここで詳細な説明は省略する。
【０２３４】
本願に係るいくつかの実施例において、理解されるべきように、開示されるシステム、装置及び方法は他の方式で実現されてもよい。例えば、以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０２３５】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本発明の実施例の目的を実現してもよい。
【０２３６】
また、本発明の実施例では、各機能ユニットは１つの処理ユニットに統合されてもよく、各ユニットは独立して物理的に存在してもよく、２つ又は２つ以上のユニットは１つのユニットに統合されてもよい。
【０２３７】
ソフトウェア機能ユニットの形式で実現され、独立した製品として販売又は使用されるときは、１つのコンピュータ可読記憶媒体に記憶されてもよい。このような理解に基づき、本発明の実施例の技術的解決策の本質的又は先行技術に貢献する部分、又は該技術的解決策の一部はソフトウェア製品の形式で具現されてもよく、該コンピュータソフトウェア製品は、１台のコンピュータ装置（パーソナルコンピュータ、サーバ又はネットワーク装置等）に本発明の実施例に記載の方法の全部又は一部のステップを実行させるための若干の命令を含む１つの記憶媒体に記憶される。そして、前記記憶媒体はＵＳＢメモリ、ポータブルハードディスク、読み出し専用メモリ、ランダムアクセスメモリ、磁気ディスク又は光ディスク等のプログラムコードを記憶できる様々な媒体を含む。
【０２３８】
以上の説明は本発明の実施例の具体的な実施形態であって、本発明の実施例の保護範囲を制限するためのものではなく、当業者が本発明の実施例に開示される技術的範囲内で容易に想到し得る変更や置換は、いずれも本発明の実施例の保護範囲内に含まれるべきである。したがって、本発明の実施例の保護範囲は特許請求の範囲に準じるべきである。
【図１】
2020535733.tif 000003
【図２】
2020535733.tif 000004
【図３】
2020535733.tif 000005
【図４】
2020535733.tif 000006
【図５】
2020535733.tif 000007
【図６】
2020535733.tif 000008
【図７】
2020535733.tif 000009
【国際調査報告】
2020535733.tif 000010
2020535733.tif 000011
2020535733.tif 000012
2020535733.tif 000013
2020535733.tif 000014
2020535733.tif 000015
2020535733.tif 000016
2020535733.tif 000017